(57)【要約】【課題】第１ユーザーの収益を向上させることができる取引システムを提供すること。【解決手段】取引システムは、取引を媒介する仮想的な媒介物を販売する１以上の第１ユーザーのそれぞれについて、第１ユーザーを示す第１ユーザー情報に対応付けられた媒介物の販売単価を示す販売単価情報を第１記憶部に記憶し、第１ユーザーのそれぞれについて、第１ユーザーを示す第１ユーザー情報に対応付けられた販売単価情報が示す販売単価の初期値を受け付け、受け付けた初期値を示す販売単価情報を、第１ユーザーを示す第１ユーザー情報に対応付けて第１記憶部に記憶させ、第３ユーザーが媒介物を購入した購入数と、販売単価情報と、第３ユーザーが購入した媒介物に対応付けられた第１ユーザーを示す第１ユーザー情報とに基づいて、第３ユーザーに対する課金処理を行う。【選択図】図２
2019101506.tif 000002
【特許請求の範囲】
【請求項１】
サーバーと１以上の端末装置とがネットワークを介して接続される取引システムであって、
取引を媒介する仮想的な媒介物を販売する１以上の第１ユーザーのそれぞれについて、前記第１ユーザーを示す第１ユーザー情報に対応付けられた前記媒介物の販売単価を示す販売単価情報を記憶する第１記憶部と、
前記第１ユーザーのそれぞれについて、前記第１ユーザーを示す前記第１ユーザー情報に対応付けられた前記販売単価情報が示す前記販売単価の初期値を受け付け、受け付けた前記初期値を示す前記販売単価情報を、前記第１ユーザーを示す前記第１ユーザー情報に対応付けて前記第１記憶部に記憶させる初期値設定部と、
前記第１ユーザーのそれぞれに対応付けられた前記媒介物のうちの少なくとも１つを購入した複数の第２ユーザーのうちの１人である第３ユーザーが前記媒介物を購入した購入数と、前記第１記憶部に記憶された前記販売単価情報と、前記第３ユーザーが購入した前記媒介物に対応付けられた前記第１ユーザーを示す前記第１ユーザー情報とに基づいて、前記第３ユーザーに対する課金処理を行う課金処理部と、
を備える取引システム。
【請求項２】
前記第１ユーザーのそれぞれについて、前記第１ユーザーに対応付けられた前記媒介物の取引市場における複数の前記第２ユーザーによる取引によって決められた前記媒介物の単価である取引単価に基づいて、前記第１記憶部に記憶された前記販売単価情報であって前記第１ユーザーを示す前記第１ユーザー情報に対応付けられた前記販売単価情報を更新する更新部を備える、
請求項１に記載の取引システム。
【請求項３】
前記第１ユーザーのそれぞれについて、前記第１ユーザーに対応付けられた前記媒介物の取引を前記第２ユーザーに行わせることが可能な取引市場画像を前記端末装置に表示させる表示制御部と、
前記第１ユーザーのそれぞれについて、前記取引市場画像における前記第２ユーザー間の取引に応じて、前記第１ユーザーに対応付けられた前記媒介物の前記取引単価を決定する決定部と、
を備える請求項２に記載の取引システム。
【請求項４】
前記表示制御部は、前記第１ユーザーのそれぞれに対応付けられた前記媒介物のいずれかを前記第２ユーザーが購入可能な媒介物購入画像を前記端末装置に表示させ、
前記課金処理部は、前記媒介物購入画像から受け付けた前記購入数と、前記第１記憶部に記憶された前記販売単価情報と、前記第３ユーザーが購入した前記媒介物に対応付けられた前記第１ユーザーを示す前記第１ユーザー情報とに基づいて、前記第３ユーザーに対する課金処理を行い、
前記第２ユーザーのそれぞれについて、前記第２ユーザーが保有する前記媒介物の数である保有数を示す保有数情報を、前記第２ユーザーを示す第２ユーザー情報に対応付けて記憶する第２記憶部と、
前記媒介物購入画像から受け付けた数であって前記第３ユーザーが前記媒介物を購入した前記購入数を、前記第２記憶部に記憶されている前記保有数情報のうち前記第３ユーザーに対応付けられた前記保有数情報が示す前記保有数に加算し、加算した後の前記保有数を示す情報を新たな前記保有数情報として前記第３ユーザーを示す第３ユーザー情報に対応付けて前記第２記憶部に記憶させる加算処理部と、
を備える請求項３に記載の取引システム。
【請求項５】
前記表示制御部は、前記第１ユーザーのそれぞれについて、前記第１ユーザーに対応付けられた１以上の商品のいずれかを前記第１ユーザーに対応付けられた前記媒介物を用いて前記第２ユーザーが購入可能な商品購入画像を前記端末装置に表示させ、
前記商品購入画像から受け付けた数であって前記第３ユーザーが前記商品を購入するために使用した使用数を、前記第２記憶部に記憶されている前記保有数情報のうち前記第３ユーザーに対応付けられた前記保有数情報が示す前記保有数から減算し、減算した後の前記保有数を示す情報を新たな前記保有数情報として前記第３ユーザー情報に対応付けて前記第２記憶部に記憶させる減算処理部を備える、
請求項４に記載の取引システム。
【請求項６】
前記商品購入画像では、前記商品のそれぞれについて、前記商品に対応付けられた前記第１ユーザーに対応付けられた前記媒介物によってのみ購入することが可能である、
請求項５に記載の取引システム。
【発明の詳細な説明】
【技術分野】
【０００１】
この発明は、取引システムに関する。
【背景技術】
【０００２】
貨幣の代わりに取引を媒介する仮想的な媒介物についての技術の研究や開発が行われている。
【０００３】
これに関し、予め決められたサービス（役務）を提供する複数の第１ユーザーのそれぞれが提供するサービスを利用する第２ユーザーに、仮想的なコイン、仮想的なアイテム等の仮想価値（前述の媒介物の一例）を購入させ、複数の第１ユーザーのうち第２ユーザーにより選択された第１ユーザーに、第２ユーザーが仮想価値を消費する対価として第２ユーザーへ当該サービスを提供させるウェブサイトが知られている（特許文献１参照）。ここで、当該サービスは、例えば、当該第１ユーザーが第２ユーザーとビデオチャットを行うサービス等である。
【先行技術文献】
【特許文献】
【０００４】
【特許文献１】特開２０１６−１５２６１９号公報
【発明の概要】
【発明が解決しようとする課題】
【０００５】
このようなウェブサイトでは、各第１ユーザーが第２ユーザーに仮想価値を販売しているわけではなく、ウェブサイトの運営企業が第２ユーザーに仮想価値を販売している。このため、第１ユーザーのそれぞれは、第１ユーザー自身が所望する販売価格によって第１ユーザー自身に対応付けられた仮想価値を第２ユーザーに対して販売することができなかった。その結果、複数の第１ユーザーは、第１ユーザー間の差別化を行うことが困難な場合があった。すなわち、第１ユーザーは、第１ユーザー自身の収益を向上させることが困難な場合があった。これは、ウェブサイトの運営企業の収益を向上させる観点からも、問題であると考えられる。
【０００６】
そこで本発明は、上記従来技術の問題に鑑みてなされたものであり、第１ユーザーの収益を向上させることができる取引システムを提供する。
【課題を解決するための手段】
【０００７】
上述した課題の少なくとも１つを解決するために、本発明の一態様に係る取引システムは、サーバーと１以上の端末装置とがネットワークを介して接続される取引システムであって、取引を媒介する仮想的な媒介物を販売する１以上の第１ユーザーのそれぞれについて、前記第１ユーザーを示す第１ユーザー情報に対応付けられた前記媒介物の販売単価を示す販売単価情報を記憶する第１記憶部と、前記第１ユーザーのそれぞれについて、前記第１ユーザーを示す前記第１ユーザー情報に対応付けられた前記販売単価情報が示す前記販売単価の初期値を受け付け、受け付けた前記初期値を示す前記販売単価情報を、前記第１ユーザーを示す前記第１ユーザー情報に対応付けて前記第１記憶部に記憶させる初期値設定部と、前記第１ユーザーのそれぞれに対応付けられた前記媒介物のうちの少なくとも１つを購入した複数の第２ユーザーのうちの１人である第３ユーザーが前記媒介物を購入した購入数と、前記第１記憶部に記憶された前記販売単価情報と、前記第３ユーザーが購入した前記媒介物に対応付けられた前記第１ユーザーを示す前記第１ユーザー情報とに基づいて、前記第３ユーザーに対する課金処理を行う課金処理部と、を備える。
【０００８】
また、本発明の他の態様は、取引システムにおいて、前記第１ユーザーのそれぞれについて、前記第１ユーザーに対応付けられた前記媒介物の取引市場における複数の前記第２ユーザーによる取引によって決められた前記媒介物の単価である取引単価に基づいて、前記第１記憶部に記憶された前記販売単価情報であって前記第１ユーザーを示す前記第１ユーザー情報に対応付けられた前記販売単価情報を更新する更新部を備える、構成が用いられてもよい。
【０００９】
また、本発明の他の態様は、取引システムにおいて、前記第１ユーザーのそれぞれについて、前記第１ユーザーに対応付けられた前記媒介物の取引を前記第２ユーザーに行わせることが可能な取引市場画像を前記端末装置に表示させる表示制御部と、前記第１ユーザーのそれぞれについて、前記取引市場画像における前記第２ユーザー間の取引に応じて、前記第１ユーザーに対応付けられた前記媒介物の前記取引単価を決定する決定部と、を備える構成が用いられてもよい。
【００１０】
また、本発明の他の態様は、取引システムにおいて、前記表示制御部は、前記第１ユーザーのそれぞれに対応付けられた前記媒介物のいずれかを前記第２ユーザーが購入可能な媒介物購入画像を前記端末装置に表示させ、前記課金処理部は、前記媒介物購入画像から受け付けた前記購入数と、前記第１記憶部に記憶された前記販売単価情報と、前記第３ユーザーが購入した前記媒介物に対応付けられた前記第１ユーザーを示す前記第１ユーザー情報とに基づいて、前記第３ユーザーに対する課金処理を行い、前記第２ユーザーのそれぞれについて、前記第２ユーザーが保有する前記媒介物の数である保有数を示す保有数情報を、前記第２ユーザーを示す第２ユーザー情報に対応付けて記憶する第２記憶部と、前記媒介物購入画像から受け付けた数であって前記第３ユーザーが前記媒介物を購入した前記購入数を、前記第２記憶部に記憶されている前記保有数情報のうち前記第３ユーザーに対応付けられた前記保有数情報が示す前記保有数に加算し、加算した後の前記保有数を示す情報を新たな前記保有数情報として前記第３ユーザー情報に対応付けて前記第２記憶部に記憶させる加算処理部と、を備える構成が用いられてもよい。
【００１１】
また、本発明の他の態様は、取引システムにおいて、前記表示制御部は、前記第１ユーザーのそれぞれについて、前記第１ユーザーに対応付けられた１以上の商品のいずれかを前記第１ユーザーに対応付けられた前記媒介物を用いて前記第２ユーザーが購入可能な商品購入画像を前記端末装置に表示させ、前記商品購入画像から受け付けた数であって前記第３ユーザーが前記商品を購入するために使用した使用数を、前記第２記憶部に記憶されている前記保有数情報のうち前記第３ユーザーに対応付けられた前記保有数情報が示す前記保有数から減算し、減算した後の前記保有数を示す情報を新たな前記保有数情報として前記第３ユーザー情報に対応付けて前記第２記憶部に記憶させる減算処理部を備える、を備える構成が用いられてもよい。
【００１２】
また、本発明の他の態様は、取引システムにおいて、前記商品購入画像では、前記商品のそれぞれについて、前記商品に対応付けられた前記第１ユーザーに対応付けられた前記媒介物によってのみ購入することが可能である、構成が用いられてもよい。
【発明の効果】
【００１３】
本発明によれば、第１ユーザーの収益を向上させることができる取引システムを提供することができる。
【図面の簡単な説明】
【００１４】
【図１】取引システム１の構成の一例を示す図である。
【図２】サーバー１０の機能構成の一例を示す図である。
【図３】第１記憶部１２１に記憶されたテーブルであって第１ユーザー情報と販売単価情報とを対応付けるテーブルの一例を示す図である。
【図４】第２記憶部１２３に記憶されたテーブルであって第２ユーザー情報と保有数情報とを対応付けるテーブルの一例を示す図である。
【図５】端末装置３０の機能構成の一例を示す図である。
【図６】サーバー１０による第１ユーザーＸ１１の初期設定処理の流れの一例を示す図である。
【図７】初期設定画像の構成の一例を示す図である。
【図８】サーバー１０による第２ユーザーＸ２２の媒介物購入処理の流れの一例を示す図である。
【図９】媒介物購入画像の構成の一例を示す図である。
【図１０】サーバー１０による第２ユーザーＸ３２の商品購入処理の流れの一例を示す図である。
【図１１】商品購入画像の構成の一例を示す図である。
【図１２】サーバー１０による第２ユーザーＸ４２と他の１以上の第２ユーザーとの間における取引対象媒介物の売買取引に関する媒介物取引処理の流れの一例を示す図である。
【図１３】取引市場画像の構成の一例を示す図である。
【図１４】希望売買情報登録画像の一例を示す図である。
【発明を実施するための形態】
【００１５】
＜実施形態＞
以下、本発明の実施形態について、図面を参照して説明する。
【００１６】
＜取引システムの概要＞
まず、実施形態に係る取引システム１の概要について説明する。
【００１７】
取引システム１は、何らかの商品を提供する１以上の第１ユーザーと、１以上の第１ユーザーのそれぞれによって提供された商品のうちの少なくともいずれかを購入したい１以上の第２ユーザーとの間の取引において利用される情報処理システムである。
【００１８】
第１ユーザーは、例えば、アイドル、歌手、芸人、役者、舞踊家等の芸能人である。なお、第１ユーザーは、芸能人に代えて、小説家、漫画家、芸術家、学者等の著名人と称される人であってもよく、何らかの商品を提供したい人であれば他の如何なる人であってもよい。以下では、一例として、第１ユーザーが、アイドルである場合について説明する。
【００１９】
第１ユーザーにより提供される商品には、例えば、第１ユーザーにより提供される物と、第１ユーザーにより提供される権利と、第１ユーザーにより提供される役務とのうちの少なくとも１つが含まれる。この一例のように、第１ユーザーがアイドルである場合、第１ユーザーにより提供される商品には、例えば、第１ユーザーにメッセージ（例えば、第１ユーザーに対する応援のメッセージ等）を送ることができる権利、第１ユーザーによるサイン入りＴシャツ、第１ユーザーが出演するイベントの先行購入権、第１ユーザーとビデオチャットを行うことができる権利、第１ユーザーの握手会において第１ユーザーと握手ができる権利、第１ユーザーが出演する動画（例えば、映画、ドラマ等）の試写会への参加権、第１ユーザーの楽屋へ訪問することができる権利、第１ユーザーが行う講演会への参加権、第１ユーザーが出演するイベントの会場にスタンド花（スタンドに装飾された花）を設営することができる権利、第１ユーザーが出演するミュージックビデオに第１ユーザーとともに出演することができる権利等が含まれる。なお、当該場合における第１ユーザーにより提供される商品には、これらの一部又は全部に代えて、第１ユーザーにより提供される他の商品が含まれる構成であってもよく、これらの全部に加えて、第１ユーザーにより提供される他の商品が含まれる構成であってもよい。第１ユーザーがアイドルではない場合における第１ユーザーにより提供される商品は、例を挙げると限がないため、説明を省略するが、当該第１ユーザーが提供可能な商品であれば如何なる商品であってもよい。
【００２０】
ここで、取引システム１では、ある第１ユーザーによって提供された１以上の商品のそれぞれには、当該第１ユーザーを示す第１ユーザー情報に対応付けられている。当該第１ユーザー情報は、当該第１ユーザーを示す情報のことであり、例えば、当該第１ユーザーを示すユーザーＩＤ（Identification）のことである。なお、当該第１ユーザー情報は、当該ユーザーＩＤに代えて、当該第１ユーザーを示す他の情報であってもよい。
【００２１】
第２ユーザーは、例えば、第１ユーザーのファン（例えば、第１ユーザーの活動を応援している人、第１ユーザーの活動を支持している人、第１ユーザーのことが好きな人等）である。なお、第２ユーザーは、当該ファンに代えて、第１ユーザーにより提供される商品を購入したい人であれば如何なる人であってもよい。
【００２２】
取引システム１では、例えば、第１ユーザーＸ０１により提供された商品Ｓ０１を第２ユーザーＸ０２が購入する場合、第２ユーザーＸ０２は、貨幣によって商品Ｓ０１を購入することができない。その代わり、取引システム１では、第２ユーザーＸ０２は、第１ユーザーＸ０１と第２ユーザーＸ０２との間の取引を貨幣の代わりに媒介する仮想的な媒介物を購入し、購入した媒介物によって商品Ｓ０１を購入することができる。ここで、第１ユーザーＸ０１は、１以上の第１ユーザーのうちの１人である。また、商品Ｓ０１は、第１ユーザーＸ０１によって提供された１以上の商品のうちの１つである。また、第２ユーザーＸ０２は、１以上の第２ユーザーのうちの１人である。
【００２３】
より具体的には、取引システム１では、第２ユーザーＸ０２は、１以上の第１ユーザーのそれぞれによって販売される媒介物のうち第１ユーザーＸ０１によって販売された媒介物である媒介物Ｃ０１を購入し、購入した媒介物によって商品Ｓ０１を購入することができる。ここで、ある第１ユーザーによって販売された媒介物には、当該第１ユーザーを示す第１ユーザー情報が対応付けられている。すなわち、媒介物Ｃ０１には、第１ユーザーＸ０１を示す第１ユーザー情報が対応付けられている。ここで、第１ユーザーのそれぞれによって販売される媒介物は、この一例において、仮想的なコインである。なお、媒介物は、仮想的なコインに代えて、第１ユーザーと第２ユーザーとの間の取引を媒介する他の仮想的な物体であってもよい。以下では、説明の便宜上、互いに異なるｐ個（ｐは、１以上の整数）の第１ユーザー情報のそれぞれに対応付けられた媒介物を、ｐ種類の媒介物と称して説明する。
【００２４】
ここで、取引システム１と異なる取引システムＸ（例えば、他の取引システム）では、１以上の第１ユーザーのそれぞれが、１以上の第２ユーザーのそれぞれに媒介物を販売しているわけではなく、取引システムＸの運営企業が１以上の第２ユーザーのそれぞれに媒介物を販売している。このため、第１ユーザーのそれぞれは、第１ユーザー自身が所望する販売価格によって第１ユーザー自身に対応付けられた媒介物を１以上の第２ユーザーのそれぞれに対して販売することができなかった。その結果、１以上の第１ユーザーのそれぞれは、第１ユーザー間の差別化を行うことが困難な場合があった。すなわち、第１ユーザーのそれぞれは、第１ユーザー自身の収益を向上させることが困難な場合があった。これは、取引システムＸの運営企業の収益を向上させる観点からも、問題であると考えられる。
【００２５】
そこで、取引システム１は、第１ユーザーのそれぞれについて、第１ユーザーを示す第１ユーザー情報に対応付けられた販売単価情報が示す販売単価の初期値を受け付け、受け付けた初期値を示す販売単価情報を、第１ユーザーを示す第１ユーザー情報に対応付けて記憶する。ここで、ある第１ユーザー情報に対応付けられた販売単価情報は、当該第１ユーザー情報に対応付けられた媒介物の販売単価を示す情報のことである。そして、取引システム１は、第１ユーザー情報のそれぞれに対応付けられた媒介物のうちの少なくとも１つを購入した１以上の第２ユーザーのそれぞれについて、第２ユーザーが媒介物を購入した購入数と、記憶している販売単価情報と、第２ユーザーが購入した媒介物に対応付けられた第１ユーザー情報とに基づいて、第２ユーザーに対する課金処理を行う。これにより、取引システム１は、第１ユーザーの収益を向上させることができる。
【００２６】
以下では、このような取引システム１の構成と、取引システム１が行う処理とのそれぞれについて詳しく説明する。
【００２７】
＜取引システムの構成＞
以下、図１を参照し、取引システム１の構成について説明する。図１は、取引システム１の構成の一例を示す図である。
【００２８】
取引システム１は、取引システム１の運営企業が管理するサーバー１０と、１台以上の情報処理装置と、１台以上の端末装置を備える。図１に示した例では、取引システム１は、当該１台以上の情報処理装置として、ｎ台（ｎは、１以上の整数）の情報処理装置である情報処理装置２０−１〜情報処理装置２０−ｎを備える。また、当該例では、取引システム１は、当該１台以上の端末装置として、ｍ台（ｍは、１以上の整数）の端末装置である端末装置３０−１〜端末装置３０−ｍを備える。
【００２９】
以下では、説明を簡略化するため、情報処理装置２０−１〜情報処理装置２０−ｎのそれぞれが、互いに同じ構成である場合について説明する。そして、以下では、説明の便宜上、情報処理装置２０−１〜情報処理装置２０−ｎのそれぞれを区別する必要がない限り、まとめて情報処理装置２０と称して説明する。なお、以下では、単に情報処理装置２０と称した場合、１台の情報処理装置２０を意味する。また、情報処理装置２０−１〜情報処理装置２０−ｎのうちの一部又は全部は、互いに異なる構成であってもよい。
【００３０】
また、以下では、説明を簡略化するため、端末装置３０−１〜端末装置３０−ｍのそれぞれが、互いに同じ構成である場合について説明する。そして、以下では、説明の便宜上、端末装置３０−１〜端末装置３０−ｍのそれぞれを区別する必要がない限り、まとめて端末装置３０と称して説明する。なお、以下では、単に端末装置３０と称した場合、１台の端末装置３０を意味する。また、端末装置３０−１〜端末装置３０−ｍのうちの一部又は全部は、互いに異なる構成であってもよい。
【００３１】
取引システム１では、サーバー１０は、ｎ台の情報処理装置２０のそれぞれと有線によるネットワークであるネットワークＮを介して通信可能に接続されている。ネットワークＮは、例えば、インターネットである。なお、ネットワークＮは、ＬＡＮ（Local  Area  Network）であってもよく、ＷＡＮ（Wide  Area  Network）であってもよく、専用回線を用いた通信網であってもよく、他の如何なる通信網であってもよい。なお、サーバー１０は、ｎ台の情報処理装置２０のうちの一部又は全部と、無線によるネットワークを介して通信可能に接続される構成であってもよい。当該ネットワークは、例えば、移動体通信網、無線ＬＡＮ等である。
【００３２】
また、取引システム１では、サーバー１０は、ｍ台の端末装置３０のそれぞれと無線によるネットワークを介して通信可能に接続されている。当該ネットワークは、移動体通信網、無線ＬＡＮ等であってもよく、無線を用いた他の如何なる通信網であってもよい。なお、サーバー１０は、ｍ台の端末装置３０のうちの一部又は全部と有線によるネットワークを介して通信可能に接続される構成であってもよい。当該ネットワークは、例えば、ＬＡＮ、ＷＡＮ、専用回線を用いた通信網等である。
【００３３】
サーバー１０は、サーバーとしての機能を実現可能な情報処理装置であれば、如何なる情報処理装置であってもよく、例えば、ワークステーション、デスクトップＰＣ（Personal  Computer）、ノートＰＣ、タブレットＰＣ等である。
【００３４】
サーバー１０は、情報処理装置２０を介して受け付けた操作に応じて、当該操作に応じた各種の画像を生成する。サーバー１０は、生成した画像を示す情報を、当該操作に対する応答として情報処理装置２０に出力し、情報処理装置２０に当該画像を表示させる。また、サーバー１０は、情報処理装置２０に表示された画像に対して第１ユーザーから行われた操作を示す情報を情報処理装置２０から取得する。サーバー１０は、取得した当該情報に応じた処理を行う。
【００３５】
また、サーバー１０は、端末装置３０を介して受け付けた操作に応じて、当該操作に応じた各種の画像を生成する。サーバー１０は、生成した画像を示す情報を、当該操作に対する応答として端末装置３０に出力し、端末装置３０に当該画像を表示させる。また、サーバー１０は、端末装置３０に表示された画像に対して第２ユーザーから行われた操作を示す情報を端末装置３０から取得する。サーバー１０は、取得した当該情報に応じた処理を行う。
【００３６】
情報処理装置２０は、例えば、ワークステーション、デスクトップＰＣ（Personal  Computer）、ノートＰＣ、タブレットＰＣ、多機能携帯電話端末（スマートフォン）、携帯電話端末、ＰＤＡ（Personal  Digital  Assistant）等の情報処理装置である。なお、情報処理装置２０は、これらの情報処理装置に代えて、以下において説明する情報処理装置２０が有する機能を有することが可能な他の如何なる情報処理装置であってもよい。
【００３７】
情報処理装置２０は、この一例において、第１ユーザーによって使用される装置である。以下では、一例として、１台の情報処理装置２０が１人の第１ユーザーによって使用される場合について説明する。情報処理装置２０は、第１ユーザーからの操作を受け付け、受け付けた操作を示す情報をサーバー１０に出力する。情報処理装置２０は、当該情報に対する応答をサーバー１０から取得する。また、情報処理装置２０は、サーバー１０から各種の画像を示す情報を取得する。情報処理装置２０は、取得した画像を表示する。
【００３８】
端末装置３０は、例えば、デスクトップＰＣ（Personal  Computer）、ノートＰＣ、タブレットＰＣ、多機能携帯電話端末（スマートフォン）、携帯電話端末、ＰＤＡ（Personal  Digital  Assistant）等の端末装置である。なお、端末装置３０は、これらの端末装置に代えて、以下において説明する端末装置３０が有する機能を有することが可能な他の如何なる端末装置であってもよい。
【００３９】
端末装置３０は、この一例において、第２ユーザーによって使用される装置である。以下では、一例として、１台の端末装置３０が１人の第２ユーザーによって使用される場合について説明する。端末装置３０は、第２ユーザーからの操作を受け付け、受け付けた操作を示す情報をサーバー１０に出力する。端末装置３０は、当該情報に対する応答をサーバー１０から取得する。また、端末装置３０は、サーバー１０から各種の画像を示す情報を取得する。端末装置３０は、取得した画像を表示する。
【００４０】
＜サーバーの機能構成＞
以下、図２を参照し、サーバー１０の機能構成について説明する。図２は、サーバー１０の機能構成の一例を示す図である。
【００４１】
サーバー１０は、記憶部１２と、通信部１４と、制御部１６を備える。
【００４２】
記憶部１２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）等を含む。なお、記憶部１２は、サーバー１０に内蔵されるものに代えて、ＵＳＢ（Universal  Serial  Bus）等のデジタル入出力ポート等によって接続された外付け型の記憶装置であってもよい。記憶部１２は、サーバー１０が処理する各種の情報、各種の画像、各種のプログラムを格納する。
【００４３】
また、記憶部１２は、第１記憶部１２１と、第２記憶部１２３と、第３記憶部１２５を備える。
【００４４】
第１記憶部１２１は、記憶部１２の記憶領域の一部である。第１記憶部１２１は、１以上の第１ユーザーのそれぞれについて、第１ユーザーを示す第１ユーザー情報と、当該第１ユーザー情報に対応付けられた媒介物の販売単価を示す販売単価情報とを対応付けて記憶する。
【００４５】
例えば、第１記憶部１２１は、第１ユーザーのそれぞれについて、第１ユーザーを示す第１ユーザー情報と、当該第１ユーザー情報に対応付けられた媒介物の販売単価を示す販売単価情報とを対応付けるテーブルを記憶する。図３は、第１記憶部１２１に記憶されたテーブルであって第１ユーザー情報と販売単価情報とを対応付けるテーブルの一例を示す図である。図３に示したテーブルでは、最上段のレコードにおいて、「Ｘ００１」が示す第１ユーザー情報と、「Ｙ００１」が示す販売単価情報とが対応付けられている。また、当該テーブルでは、上から２段目のレコードにおいて、「Ｘ００２」が示す第１ユーザー情報と、「Ｙ００２」が示す販売単価情報とが対応付けられている。なお、第１記憶部１２１は、第１ユーザーのそれぞれについて、第１ユーザーを示す第１ユーザー情報と、当該第１ユーザー情報に対応付けられた媒介物の販売単価を示す販売単価情報とを対応付けるテーブルに代えて、第１ユーザーのそれぞれについて、第１ユーザーを示す第１ユーザー情報と、当該第１ユーザー情報に対応付けられた媒介物の販売単価を示す販売単価情報とを対応付ける他の情報を記憶する構成であってもよい。
【００４６】
第２記憶部１２３は、記憶部１２の記憶領域のうち第１記憶部１２１以外の領域の一部である。第２記憶部１２３は、１以上の第２ユーザーのそれぞれについて、第２ユーザーを示す第２ユーザー情報と、第２ユーザーが保有する媒介物の数である保有数を示す保有数情報とを対応付けて記憶する。ここで、第２記憶部１２３は、ある第２ユーザーが保有する媒介物の種類が１種類である場合、当該１種類の媒介物について、当該第２ユーザーを示す第２ユーザー情報と、当該第２ユーザーが媒介物を保有する保有数を示す保有数情報とを対応付けて記憶する。また、第２記憶部１２３は、ある第２ユーザーが保有する媒介物の種類が２種類以上である場合、当該２種類以上の媒介物のそれぞれについて、当該第２ユーザーを示す第２ユーザー情報と、当該第２ユーザーが媒介物を保有する保有数を示す保有数情報とを対応付けて記憶する。また、第２記憶部１２３では、第２記憶部１２３に記憶された保有数情報のそれぞれに対して、保有数情報が示す保有数の媒介物に対応付けられた第１ユーザー情報と同じ第１ユーザー情報が対応付けられている。
【００４７】
ここで、ある第２ユーザーを示す第２ユーザー情報は、例えば、当該第２ユーザーを示すユーザーＩＤのことである。なお、当該第２ユーザー情報は、当該ユーザーＩＤに代えて、当該第２ユーザーを示す他の情報であってもよい。
【００４８】
例えば、第２記憶部１２３は、１以上の第２ユーザーのそれぞれについて、第２ユーザーを示す第２ユーザー情報と、第２ユーザーが保有する媒介物の数である保有数を示す保有数情報とを対応付けるテーブルを記憶する。図４は、第２記憶部１２３に記憶されたテーブルであって第２ユーザー情報と保有数情報とを対応付けるテーブルの一例を示す図である。図４に示したテーブルでは、最上段のレコードにおいて、「Ｚ００１」が示す第２ユーザー情報と、「Ｗ００１」が示す保有数情報と、「Ｘ００１」が示す第１ユーザー情報とが対応付けられている。また、当該テーブルでは、上から２段目のレコードにおいて、「Ｚ００１」が示す第２ユーザー情報と、「Ｗ００２」が示す保有数情報と、「Ｘ００２」が示す第１ユーザー情報とが対応付けられている。すなわち、図４に示した例では、当該第２ユーザー情報が示す第２ユーザーは、「Ｘ００１」が示す第１ユーザー情報が示す第１ユーザーに対応付けられた媒介物（すなわち、「Ｘ００１」が示す第１ユーザーによって販売された媒介物）と、「Ｘ００２」が示す第１ユーザー情報が示す第１ユーザーに対応付けられた媒介物（すなわち、「Ｘ００２」が示す第１ユーザーによって販売された媒介物）との２種類の媒介物を保有している。また、当該テーブルでは、上から３段目のレコードにおいて、「Ｚ００２」が示す第２ユーザー情報と、「Ｗ００３」が示す保有数情報と、「Ｘ００２」が示す第１ユーザー情報とが対応付けられている。すなわち、当該例では、当該第２ユーザー情報が示す第２ユーザーは、「Ｘ００２」が示す第１ユーザー情報が示す第１ユーザーに対応付けられた媒介物（すなわち、「Ｘ００２」が示す第１ユーザーによって販売された媒介物）の１種類の媒介物を保有している。なお、第２記憶部１２３は、１以上の第２ユーザーのそれぞれについて、第２ユーザーを示す第２ユーザー情報と、第２ユーザーが保有する媒介物の数である保有数を示す保有数情報とを対応付けるテーブルに代えて、１以上の第２ユーザーのそれぞれについて、第２ユーザーを示す第２ユーザー情報と、第２ユーザーが保有する媒介物の数である保有数を示す保有数情報とを対応付ける他の情報を記憶する構成であってもよい。
【００４９】
第３記憶部１２５は、記憶部１２の記憶領域のうち第１記憶部１２１及び第２記憶部１２３のそれぞれ以外の領域の一部である。第３記憶部１２５は、１以上の第１ユーザーのそれぞれについて、第１ユーザーを示す第１ユーザー情報と、当該第１ユーザーによって販売される商品に関する情報である商品情報とを対応付けて記憶する。ここで、第３記憶部１２５は、ある第１ユーザーによって販売される商品の種類が１種類である場合、当該１種類の商品について、当該第１ユーザーを示す第１ユーザー情報と、商品に関する商品情報とを対応付けて記憶する。また、第３記憶部１２５は、ある第１ユーザーによって販売される商品の種類が２種類以上である場合、当該２種類以上の商品のそれぞれについて、当該第１ユーザーを示す第１ユーザー情報と、商品に関する商品情報とを対応付けて記憶する。
【００５０】
例えば、第３記憶部１２５は、第１ユーザー情報のそれぞれについて、第１ユーザーを示す第１ユーザー情報と、当該第１ユーザーによって販売される商品に関する情報である商品情報とを対応付けるテーブルを記憶する。ここで、ある商品情報には、当該商品情報が示す商品の商品名、当該商品の種類、当該商品の説明、当該商品の画像等が含まれている。また、第３記憶部１２５では、商品情報のそれぞれについて、商品情報が示す商品を購入するために必要な媒介物の数を示す情報である所要数情報が対応付けられている。なお、ある商品情報には、当該商品情報が示す商品の商品名、当該商品の種類、当該商品の説明、当該商品の画像とのうちの一部又は全部に代えて、当該商品に関する他の情報が含まれる構成であってもよく、商品名、当該商品の種類、当該商品の説明、当該商品の画像との全部に加えて、当該商品に関する他の情報が含まれる構成であってもよい。
【００５１】
通信部１４は、例えば、ＵＳＢ等のデジタル入出力ポートやイーサネット（登録商標）ポート等を含んで構成される。
【００５２】
なお、サーバー１０は、キーボード、マウス、タッチパッド等の入力装置を備える構成であってもよい。また、サーバー１０は、液晶ディスプレイパネル、あるいは、有機ＥＬ（ElectroLuminescence）ディスプレイパネルである表示部を備える構成であってもよい。
【００５３】
制御部１６は、サーバー１０の全体を制御する。制御部１６は、表示制御部１６１と、操作受付部１６３と、初期値設定部１６５と、課金処理部１６７と、加算処理部１６９と、減算処理部１７１と、決定部１７３と、更新部１７５と、市場取引処理部１７７を備える。制御部１６が備えるこれらの機能部は、例えば、図示しないＣＰＵ（Central  Processing  Unit）が、記憶部１２（この一例において、記憶部１２の記憶領域のうち第１記憶部１２１、第２記憶部１２３、第３記憶部１２５のそれぞれ以外の領域）に記憶された各種のプログラムを実行することにより実現される。また、当該機能部のうちの一部又は全部は、ＬＳＩ（Large  Scale  Integration）やＡＳＩＣ（Application  Specific  Integrated  Circuit）等のハードウェア機能部であってもよい。
【００５４】
表示制御部１６１は、各種の画像を生成する。表示制御部１６１は、生成した画像を示す情報を他の装置（この一例において、情報処理装置２０、端末装置３０のそれぞれ）に出力し、当該装置に当該情報が示す画像を表示させる。
【００５５】
操作受付部１６３は、他の装置（この一例において、情報処理装置２０、端末装置３０のそれぞれ）に表示された画像であって表示制御部１６１が出力した情報が示す画像に対して行われた操作を示す情報を取得した場合、当該情報をサーバー１０に対する操作として受け付ける。
【００５６】
初期値設定部１６５は、１以上の第１ユーザーのうちのある第１ユーザーから、当該第１ユーザーを示す第１ユーザー情報に対応付けられた販売単価情報が示す販売単価の初期値を受け付けた場合、受け付けた当該初期値を示す販売単価情報を、当該第１ユーザーを示す第１ユーザー情報に対応付けて第１記憶部１２１に記憶させる。
【００５７】
課金処理部１６７は、１以上の第１ユーザー情報のそれぞれに対応付けられた媒介物のうちのある媒介物を、１以上の第２ユーザーのうちのある第２ユーザーが購入した場合、当該第２ユーザーが媒介物を購入した購入数と、第１記憶部１２１に記憶された販売単価情報であって当該媒介物の販売単価を示す販売単価情報と、当該媒介物に対応付けられた第１ユーザー情報とに基づいて、当該第２ユーザーに対する課金処理を行う。
【００５８】
加算処理部１６９は、１以上の第１ユーザー情報のそれぞれに対応付けられた媒介物のうちのある媒介物を、１以上の第２ユーザーのうちのある第２ユーザーが購入した場合、当該第２ユーザーが購入した媒介物の数である購入数を、第２記憶部１２３に記憶されている保有数情報であって当該第２ユーザーを示す第２ユーザー情報に対応付けられた保有数情報が示す保有数に加算し、加算した後の保有数を示す情報を新たな保有数情報として当該第２ユーザー情報に対応付けて第２記憶部１２３に記憶させる。
【００５９】
減算処理部１７１は、１以上の第１ユーザー情報のそれぞれに対応付けられた商品のうちのある商品を、１以上の第２ユーザーのうちのある第２ユーザーが購入した場合、当該第２ユーザーが商品を購入するために使用した媒介物の数である使用数を、第２記憶部１２３に記憶されている保有数情報であって当該第２ユーザーを示す第２ユーザー情報に対応付けられた保有数情報が示す保有数から減算し、減算した後の保有数を示す情報を新たな保有数情報として当該第２ユーザー情報に対応付けて第２記憶部１２３に記憶させる。
【００６０】
決定部１７３は、後述する取引市場であって複数の第２ユーザー間において行われる種類毎の媒介物の売買取引を行う取引市場において、ある媒介物の取引が行われた場合、当該媒介物の取引に応じた価格を取引単価として決定する。
【００６１】
更新部１７５は、ある媒介物の取引単価を決定部１７３が決定した場合、決定部１７３により決定された取引単価に基づいて、第１記憶部１２１に記憶された販売単価情報であって当該媒介物に対応付けられた第１ユーザー情報に対応付けられた販売単価情報を更新する。
【００６２】
市場取引処理部１７７は、後述する取引市場に関する処理を行う。
【００６３】
＜端末装置の機能構成＞
以下、図５を参照し、端末装置３０の機能構成について説明する。図５は、端末装置３０の機能構成の一例を示す図である。
【００６４】
端末装置３０は、記憶部３２と、入力受付部３３と、通信部３４と、表示部３５と、制御部３６を備える。
【００６５】
記憶部３２は、例えば、ＨＤＤやＳＳＤ、ＥＥＰＲＯＭ、ＲＯＭ、ＲＡＭ等を含む。なお、記憶部３２は、端末装置３０に内蔵されるものに代えて、ＵＳＢ等のデジタル入出力ポート等によって接続された外付け型の記憶装置であってもよい。記憶部３２は、端末装置３０が処理する各種の情報、各種の画像、各種のプログラムを格納する。
【００６６】
入力受付部３３は、例えば、後述する表示部３５と一体に構成されたタッチパネルである。なお、入力受付部３３は、キーボードやマウス、タッチパッド、その他の入力装置であってもよい。
【００６７】
通信部３４は、例えば、ＵＳＢ等のデジタル入出力ポートやイーサネット（登録商標）ポート等を含んで構成される。
【００６８】
表示部３５は、例えば、液晶ディスプレイパネル、あるいは、有機ＥＬディスプレイパネルである。
【００６９】
制御部３６は、端末装置３０の全体を制御する。制御部３６は、表示制御部３６１と、処理部３６３を備える。制御部３６が備えるこれらの機能部は、例えば、図示しないＣＰＵが、記憶部３２に記憶された各種のプログラムを実行することにより実現される。また、当該機能部のうちの一部又は全部は、ＬＳＩやＡＳＩＣ等のハードウェア機能部であってもよい。
【００７０】
表示制御部３６１は、各種の画像を生成する。表示制御部３６１は、生成した画像を表示部３５に表示させる。また、表示制御部３６１は、情報処理装置２０から各種の画像を示す情報を取得する。表示制御部３６１は、取得した情報が示す画像を表示部３５に表示させる。
【００７１】
処理部３６３は、入力受付部３３を介して第２ユーザーから受け付けた操作に応じた処理を行う。
【００７２】
＜サーバーによる第１ユーザーの初期設定処理＞
以下、図６を参照し、サーバー１０による第１ユーザーの初期設定処理について説明する。サーバー１０による第１ユーザーの初期設定処理は、サーバー１０が行う処理のうち、第１ユーザーを示す第１ユーザー情報と、第１ユーザーが販売する媒介物の販売単価の初期値を示す販売単価情報とを対応付けてサーバー１０の第１記憶部１２１に記憶させる（すなわち、設定させる）処理のことである。なお、サーバー１０による第１ユーザーの初期設定処理は、当該第１ユーザー情報と、当該販売単価情報とを対応付けて第１記憶部１２１に記憶させることに加えて、他の情報を第１記憶部１２１に記憶させる処理であってもよい。以下では、サーバー１０による第１ユーザーの初期設定処理の流れを、サーバー１０による第１ユーザーＸ１１の初期設定処理の流れを例に挙げて説明する。第１ユーザーＸ１１は、１以上の第１ユーザーのうちの１人である。また、以下では、説明の便宜上、第１ユーザーＸ１１により使用される情報処理装置２０を情報処理装置２０Ｘと称して説明する。なお、第１ユーザーＸ１１は、前述の第１ユーザーＸ０１と同じ人物であってもよく、異なる人物であってもよい。
【００７３】
図６は、サーバー１０による第１ユーザーＸ１１の初期設定処理の流れの一例を示す図である。以下では、一例として、図６に示したステップＳ１１０の処理が行われる前のタイミングにおいて、サーバー１０が、情報処理装置２０Ｘから初期設定画像表示操作を示す情報を受け付けている場合について説明する。初期設定画像表示操作は、情報処理装置２０Ｘが第１ユーザーＸ１１から受け付ける操作のうち、情報処理装置２０Ｘに初期設定画像を表示させる操作のことである。当該初期設定画像は、情報処理装置２０Ｘに表示される画像のうち、サーバー１０が第１ユーザーＸ１１の初期設定処理を行う際に用いる各種の情報を第１ユーザーが入力する操作を行う画像のことである。
【００７４】
表示制御部１６１は、情報処理装置２０Ｘから取得した情報であって初期設定画像表示操作を示す情報に応じて、初期設定画像を生成する（ステップＳ１１０）。そして、表示制御部１６１は、生成した初期設定画像を示す情報を、ステップＳ１１０において取得した情報に対する応答として情報処理装置２０Ｘに出力し、情報処理装置２０Ｘに初期設定画像を表示させる（ステップＳ１２０）。
【００７５】
次に、操作受付部１６３は、初期設定画像を介して情報処理装置２０Ｘから操作を受け付けるまで待機する（ステップＳ１３０）。例えば、操作受付部１６３は、初期設定画像に対する操作を示す情報を情報処理装置２０Ｘから取得した場合、初期設定画像を介して情報処理装置２０Ｘから操作を受け付けたと判定する。一方、操作受付部１６３は、当該情報を情報処理装置２０Ｘから取得していない場合、初期設定画像を介して情報処理装置２０Ｘから操作を受け付けていないと判定する。
【００７６】
初期設定画像を介して情報処理装置２０Ｘから操作を受け付けたと判定した場合（ステップＳ１３０−ＹＥＳ）、操作受付部１６３は、ステップＳ１３０において情報処理装置２０Ｘから取得した情報が示す操作が初期設定終了操作であるか否かを判定する（ステップＳ１４０）。初期設定終了操作は、サーバー１０が第１ユーザーＸ１１の初期設定処理を行う際に用いる各種の情報の第１ユーザーによる入力を終了させる操作のことであり、例えば、情報処理装置２０Ｘにおける初期設定画像の表示を終了させる操作（当該表示を削除する操作）等のことである。
【００７７】
ステップＳ１３０において情報処理装置２０Ｘから取得した情報が示す操作が初期設定終了操作であると操作受付部１６３が判定した場合（ステップＳ１４０−ＹＥＳ）、初期値設定部１６５は、第１ユーザーＸ１１の初期設定を行う処理を終了させる。一方、ステップＳ１３０において情報処理装置２０Ｘから取得した情報が示す操作が初期設定終了操作ではないと操作受付部１６３が判定した場合（ステップＳ１４０−ＮＯ）、初期値設定部１６５は、当該操作に応じた処理を行う（ステップＳ１５０）。そして、操作受付部１６３は、ステップＳ１３０に遷移し、初期設定画像を介して情報処理装置２０Ｘから操作を受け付けるまで再び待機する。
【００７８】
＜初期設定画像の構成と初期設定画像に対する操作に応じた処理＞
以下、図７を参照し、初期設定画像の構成と、サーバー１０が行う処理のうち初期設定画像に対する操作に応じた処理とのそれぞれについて説明する。以下では、一例として、サーバー１０が前述の第１ユーザーＸ１１の初期設定処理を行う際に用いる各種の情報が第１ユーザーにより入力される初期設定画像を例に挙げて説明する。
【００７９】
図７は、初期設定画像の構成の一例を示す図である。図７に示した表示部Ｄは、情報処理装置２０Ｘが備える表示部の一例であり、例えば、液晶ディスプレイパネル、あるいは、有機ＥＬディスプレイパネルである。また、表示部Ｄに表示された画像Ｐ１は、初期設定画像の一例を示す。図７に示した例では、画像Ｐ１には、入力欄Ｃ１１と、入力欄Ｃ１２と、ボタンＢ１１が含まれている。なお、画像Ｐ１には、入力欄Ｃ１１と入力欄Ｃ１２とボタンＢ１１の全部に加えて、他のＧＵＩ（Graphical  User  Interface）が含まれる構成であってもよい。
【００８０】
入力欄Ｃ１１は、第１ユーザー情報を入力する欄である。情報処理装置２０Ｘが備える入力受付部（例えば、タッチパネル）を介して第１ユーザーＸ１１が入力欄Ｃ１１に第１ユーザーＸ１１を示す第１ユーザー情報を入力した場合、情報処理装置２０Ｘは、入力欄Ｃ１１に入力された当該第１ユーザー情報を入力欄Ｃ１１に表示させる。ここで、画像Ｐ１では、第１ユーザーＸ１１は、当該入力受付部を介して、入力欄Ｃ１１に表示された当該第１ユーザー情報を、他の第１ユーザー情報に修正することもできる。
【００８１】
入力欄Ｃ１２は、第１ユーザーＸ１１により販売される媒介物の販売単価の初期値を入力する欄である。情報処理装置２０Ｘが備える入力受付部（例えば、タッチパネル）を介して第１ユーザーＸ１１が入力欄Ｃ１２に当該初期値を入力した場合、情報処理装置２０Ｘは、入力欄Ｃ１２に入力された当該初期値を入力欄Ｃ１２に表示させる。ここで、画像Ｐ１では、第１ユーザーＸ１１は、当該入力受付部を介して、入力欄Ｃ１１に表示された当該初期値を、他の初期値に修正することもできる。
【００８２】
ボタンＢ１１は、入力欄Ｃ１１に表示された第１ユーザー情報と、入力欄Ｃ１２に表示された初期値とのそれぞれを確定するボタンである。第１ユーザーＸ１１によってボタンＢ１１に対して選択操作が行われた場合（例えば、タップ、クリック等）、情報処理装置２０Ｘは、入力欄Ｃ１１に表示された第１ユーザー情報と、入力欄Ｃ１２に表示された初期値とのそれぞれを確定する。そして、情報処理装置２０Ｘは、確定した第１ユーザー情報と、確定した初期値を示す情報と、ボタンＢ１１に対して選択操作が行われたことを示す情報とをサーバー１０に出力する。サーバー１０がこれら３つの情報を取得した場合、初期値設定部１６５は、取得した初期値を示す情報を、取得した第１ユーザー情報が示す第１ユーザーＸ１１が販売する媒介物（すなわち、当該第１ユーザー情報に対応付けられた媒介物）の販売単価を示す販売単価情報として特定する。そして、初期値設定部１６５は、当該第１ユーザー情報と、特定した販売単価情報とを対応付けて第１記憶部１２１に記憶させる。
【００８３】
このように、第１ユーザーＸ１１は、情報処理装置２０Ｘに表示された画像であってサーバー１０が第１ユーザーＸ１１の初期設定処理を行う際に用いる各種の情報が第１ユーザーにより入力される初期設定画像を介して、第１ユーザーＸ１１により販売される媒介物の販売単価の初期値をサーバー１０に記憶させることができる。これにより、サーバー１０は、サーバー１０に記憶された当該初期値に基づいて、以下において説明する処理であってサーバー１０による第２ユーザーの媒介物購入処理を行うことができる。その結果、サーバー１０を備える取引システム１は、第１ユーザーのそれぞれに、第１ユーザー間の差別化を行わせることができ、その結果、第１ユーザーの収益を向上させることができる。
【００８４】
＜サーバーによる第２ユーザーの媒介物購入処理＞
以下、図８を参照し、サーバー１０による第２ユーザーの媒介物購入処理について説明する。サーバー１０による第２ユーザーの媒介物購入処理は、サーバー１０が行う処理のうち、第２ユーザーによる媒介物の購入に関する処理のことである。以下では、サーバー１０による第２ユーザーの媒介物購入処理の流れを、サーバー１０による第２ユーザーＸ２２の媒介物購入処理の流れを例に挙げて説明する。第２ユーザーＸ２２は、１以上の第２ユーザーのうちの１人である。また、以下では、説明の便宜上、第２ユーザーＸ２２により使用される端末装置３０を端末装置３０Ｙと称して説明する。なお、第２ユーザーＸ２２は、前述の第２ユーザーＸ０２と同じ人物であってもよく、異なる人物であってもよい。また、以下では、当該媒介物購入処理において、第２ユーザーＸ２２が、１以上の第１ユーザーのうち第２ユーザーＸ２２によって選択された第１ユーザーである第１ユーザーＸ２１が販売する媒介物（すなわち、第１ユーザーＸ２１を示す第１ユーザー情報に対応付けられた媒介物）を購入する場合について説明する。
【００８５】
図８は、サーバー１０による第２ユーザーＸ２２の媒介物購入処理の流れの一例を示す図である。以下では、一例として、図８に示したステップＳ２１０の処理が行われる前のタイミングにおいて、サーバー１０が、端末装置３０Ｙから、第１ユーザーＸ２１を示す第１ユーザー情報とともに、媒介物購入画像表示操作を示す情報を受け付けている場合について説明する。媒介物購入画像表示操作は、端末装置３０Ｙが第２ユーザーＸ２２から受け付ける操作のうち、媒介物購入画像を端末装置３０Ｙに表示させる操作のことである。当該媒介物購入画像は、第１ユーザーＸ２１を示す第１ユーザー情報に対応付けられた媒介物を第２ユーザーＸ２２が購入する操作を行う画像である。
【００８６】
表示制御部１６１は、端末装置３０Ｙから予め取得した情報であって媒介物購入画像表示操作を示す情報に応じて、端末装置３０Ｙから予め取得した第１ユーザー情報に対応付けられた媒介物を第２ユーザーＸ２２が購入する操作を行う媒介物購入画像を生成する（ステップＳ２１０）。具体的には、表示制御部１６１は、当該第１ユーザー情報に対応付けられた販売単価情報を第１記憶部１２１から読み出す。また、表示制御部１６１は、記憶部１２に予め記憶された情報であって当該媒介物の総販売数を示す総販売数情報を記憶部１２から読み出す。また、表示制御部１６１は、記憶部１２に予め記憶された情報であって当該媒介物の現在までに売却された総数を示す売却数情報を記憶部１２から読み出す。また、表示制御部１６１は、記憶部１２に予め記憶された情報であって第１ユーザーＸ２１に関する情報である第１ユーザー関連情報（例えば、第１ユーザーＸ２１のプロフィールを示す情報、第１ユーザーＸ２１の画像等）を記憶部１２から読み出す。表示制御部１６１は、記憶部１２から読み出したこれらの情報に基づいて、媒介物購入画像を生成する。そして、表示制御部１６１は、生成した媒介物購入画像を示す情報を、ステップＳ２１０において取得した情報に対する応答として端末装置３０Ｙに出力し、端末装置３０Ｙに媒介物購入画像を表示させる（ステップＳ２２０）。なお、サーバー１０において総販売数情報、売却数情報、第１ユーザー関連情報のそれぞれが記憶部１２に予め記憶される処理は、如何なる処理であってもよいため、説明を省略する。
【００８７】
次に、操作受付部１６３は、媒介物購入画像を介して端末装置３０Ｙから操作を受け付けるまで待機する（ステップＳ２３０）。例えば、操作受付部１６３は、媒介物購入画像に対する操作を示す情報を端末装置３０Ｙから取得した場合、媒介物購入画像を介して端末装置３０Ｙから操作を受け付けたと判定する。一方、操作受付部１６３は、当該情報を端末装置３０Ｙから取得していない場合、媒介物購入画像を介して端末装置３０Ｙから操作を受け付けていないと判定する。
【００８８】
媒介物購入画像を介して端末装置３０Ｙから操作を受け付けたと判定した場合（ステップＳ２３０−ＹＥＳ）、操作受付部１６３は、ステップＳ２３０において端末装置３０Ｙから取得した情報が示す操作が媒介物購入終了操作であるか否かを判定する（ステップＳ２４０）。媒介物購入終了操作は、媒介物購入画像を介した第２ユーザーＸ２２による媒介物の購入を終了させる操作のことであり、例えば、端末装置３０Ｙにおける媒介物購入画像の表示を終了させる操作（当該表示を削除する操作）等のことである。
【００８９】
ステップＳ２３０において端末装置３０Ｙから取得した情報が示す操作が媒介物購入終了操作であると操作受付部１６３が判定した場合（ステップＳ２４０−ＹＥＳ）、課金処理部１６７は、第２ユーザーＸ２２による媒介物の購入に関する処理を終了させる。一方、ステップＳ２３０において端末装置３０Ｙから取得した情報が示す操作が媒介物購入終了操作ではないと操作受付部１６３が判定した場合（ステップＳ２４０−ＮＯ）、課金処理部１６７は、当該操作に応じた処理を行う（ステップＳ２５０）。そして、操作受付部１６３は、ステップＳ２３０に遷移し、媒介物購入画像を介して端末装置３０Ｙから操作を受け付けるまで再び待機する。
【００９０】
＜媒介物購入画像の構成と媒介物購入画像に対する操作に応じた処理＞
以下、図９を参照し、媒介物購入画像の構成と、サーバー１０が行う処理のうち媒介物購入画像に対する操作に応じた処理とのそれぞれについて説明する。以下では、一例として、サーバー１０が前述の第２ユーザーＸ２２の媒介物購入処理を行う際に第２ユーザーＸ２２によって操作される媒介物購入画像を例に挙げて説明する。
【００９１】
図９は、媒介物購入画像の構成の一例を示す図である。図９に示した画像Ｐ２であって表示部３５に表示された画像Ｐ２は、媒介物購入画像の一例を示す。図９に示した例では、画像Ｐ２には、表示欄Ｄ２１と、表示欄Ｄ２２と、表示欄Ｄ２３と、表示欄Ｄ２４と、入力欄Ｃ２１と、ボタンＢ２１が含まれている。なお、画像Ｐ２には、表示欄Ｄ２１と表示欄Ｄ２２と表示欄Ｄ２３と表示欄Ｄ２４の一部又は全部が含まれない構成であってもよく、表示欄Ｄ２１と表示欄Ｄ２２と表示欄Ｄ２３と表示欄Ｄ２４の一部又は全部に代えて他のＧＵＩが含まれる構成であってもよく、表示欄Ｄ２１と表示欄Ｄ２２と表示欄Ｄ２３と表示欄Ｄ２４と入力欄Ｃ２１とボタンＢ２１の全部に加えて、他のＧＵＩが含まれる構成であってもよい。
【００９２】
表示欄Ｄ２１は、サーバー１０が端末装置３０Ｙから媒介物購入画像表示操作を示す情報とともに取得した情報であって第１ユーザーＸ２１を示す第１ユーザー情報が表示される欄である。すなわち、図９に示した媒介物購入画像では、第２ユーザーＸ２２は、表示欄Ｄ２１に表示されている第１ユーザー情報が示す第１ユーザーＸ２１に対応付けられた媒介物を購入することができる。表示制御部１６１は、図８に示したステップＳ２１０の処理が行われる前のタイミングにおいてサーバー１０が端末装置３０Ｙから取得した第１ユーザー情報を表示欄Ｄ２１に表示されるように、ステップＳ２１０において媒介物購入画像を生成する。図９に示した例では、表示欄Ｄ２１には、第１ユーザー情報として「Ｘ００１」が表示されている。
【００９３】
表示欄Ｄ２２は、表示欄Ｄ２１に表示されている第１ユーザー情報が示す第１ユーザーＸ２１に関する第１ユーザー関連情報が表示される欄である。表示制御部１６１は、図８に示したステップＳ２１０において記憶部１２から読み出した第１ユーザー関連情報が表示欄Ｄ２２に表示されるように、ステップＳ２１０において媒介物購入画像を生成する。図９に示した例では、図が煩雑になるのを避けるため、表示欄Ｄ２２に表示される第１ユーザー関連情報が、省略されている。
【００９４】
表示欄Ｄ２３は、表示欄Ｄ２１に表示されている第１ユーザー情報に対応付けられた媒介物の販売単価が表示される欄である。表示制御部１６１は、図８に示したステップＳ２１０において記憶部１２から読み出した販売単価情報が表示欄Ｄ２３に表示されるように、ステップＳ２１０において媒介物購入画像を生成する。図９に示した例では、表示欄Ｄ２３には、当該販売単価として「１００」が表示されている。
【００９５】
表示欄Ｄ２４は、表示欄Ｄ２１に表示されている第１ユーザー情報に対応付けられた媒介物の販売可能な総数が表示される欄である。表示制御部１６１は、ステップＳ２１０において記憶部１２から読み出した総販売数情報が示す総販売数から、ステップＳ２１０において記憶部１２から読み出した売却数情報が示す売却数を差し引いた値を、当該総数として算出する。そして、表示制御部１６１は、表示欄Ｄ２４に当該総数が表示されるように、ステップＳ２１０において媒介物購入画像を生成する。図９に示した例では、表示欄Ｄ２３には、当該販売単価として「６４」が表示されている。
【００９６】
入力欄Ｃ２１は、表示欄Ｄ２１に表示された第１ユーザー情報に対応づけられた媒介物であって第２ユーザーＸ２２が購入したい媒介物の数である購入希望数を入力する欄である。端末装置３０Ｙが備える入力受付部３３を介して第２ユーザーＸ２２が入力欄Ｃ２１に購入希望数を入力した場合、処理部３６３は、入力欄Ｃ２１に入力された購入希望数を入力欄Ｃ２１に表示させる。ここで、画像Ｐ２では、第２ユーザーＸ２２は、入力受付部３３を介して、入力欄Ｃ２１に表示された購入希望数を、他の購入希望数に修正することもできる。
【００９７】
ボタンＢ２１は、入力欄Ｃ２１に表示された購入希望数を、表示欄Ｄ２１に表示された第１ユーザー情報に対応付けられた媒介物であって第２ユーザーＸ２２が購入する媒介物の数である購入数として確定するボタンである。第２ユーザーＸ２２によってボタンＢ２１に対して選択操作が行われた場合（例えば、タップ、クリック等）、処理部３６３は、入力欄Ｃ２１に表示された購入希望数を、当該購入数として確定する。そして、処理部３６３は、確定した当該購入数を示す購入数情報と、当該第１ユーザー情報と、記憶部３２に予め記憶された情報であって第２ユーザーＸ２２を示す第２ユーザー情報とをサーバー１０に出力する。サーバー１０がこれら３つの情報を取得した場合、課金処理部１６７は、取得した購入数情報と、第１記憶部１２１に記憶された販売単価情報と、取得した第１ユーザー情報とに基づいて、第２ユーザーＸ２２に対する課金処理を行う。例えば、課金処理部１６７は、当該購入数情報が示す購入数に当該販売単価情報が示す販売単価を乗じることによって算出される金額を、クレジットカード決済によって第２ユーザーＸ２２に対して課金する処理を、当該課金処理として行う。課金処理部１６７により行われる当該課金処理は、如何なる処理で実現されてもよいため、詳細な説明を省略する。なお、課金処理部１６７は、クレジットカード決済に代えて、第２ユーザーＸ２２の銀行口座の情報に基づく決済を行う処理を、当該課金処理として行う構成であってもよい。また、当該場合、加算処理部１６９は、取得した購入数情報が示す購入数を、第２記憶部１２３に記憶されている保有数情報のうち第２ユーザーＸ２２に対応付けられた保有数情報であって第２ユーザーＸ２２が購入した媒介物の種類に応じた保有数情報が示す保有数に加算し、加算した後の保有数を示す情報を新たな保有数情報として第２ユーザーＸ２２を示す第２ユーザー情報に対応付けて第２記憶部１２３に記憶させる。
【００９８】
このように、サーバー１０は、端末装置３０Ｙに表示された画像であって第１ユーザーＸ２１を示す第１ユーザー情報に対応付けられた媒介物を第２ユーザーＸ２２が購入する操作を行う媒介物購入画像を介して、第１ユーザーＸ２１により販売される媒介物を購入した第２ユーザーＸ２２に対して、第１ユーザーＸ２１により指定された販売単価に応じた金額を課金することができる。
【００９９】
＜サーバーによる第２ユーザーの商品購入処理＞
以下、図１０を参照し、サーバー１０による第２ユーザーの商品購入処理について説明する。サーバー１０による第２ユーザーの商品購入処理は、サーバー１０が行う処理のうち、第２ユーザーによる商品の購入に関する処理のことである。以下では、サーバー１０による第２ユーザーの商品購入処理の流れを、サーバー１０による第２ユーザーＸ３２の商品購入処理の流れを例に挙げて説明する。第２ユーザーＸ３２は、１以上の第２ユーザーのうちの１人である。また、以下では、説明の便宜上、第２ユーザーＸ３２により使用される端末装置３０を端末装置３０Ｚと称して説明する。なお、第２ユーザーＸ３２は、前述の第２ユーザーＸ０２、第２ユーザーＸ２２のそれぞれと同じ人物であってもよく、異なる人物であってもよい。また、以下では、当該商品購入処理において、第２ユーザーＸ３２が、１以上の第１ユーザーのうち第２ユーザーＸ３２によって選択された第１ユーザーである第１ユーザーＸ３１が販売する商品（すなわち、第１ユーザーＸ３１を示す第１ユーザー情報に対応付けられた商品）を購入する場合について説明する。以下では、説明の便宜上、第１ユーザーＸ３１によって使用される情報処理装置２０を情報処理装置２０Ｚと称して説明する。
【０１００】
図１０は、サーバー１０による第２ユーザーＸ３２の商品購入処理の流れの一例を示す図である。以下では、一例として、図１０に示したステップＳ３１０の処理が行われる前のタイミングにおいて、サーバー１０が、端末装置３０Ｚから、第１ユーザーＸ３１を示す第１ユーザー情報とともに、商品購入画像表示操作を示す情報を受け付けている場合について説明する。商品購入画像表示操作は、端末装置３０Ｚが第２ユーザーＸ３２から受け付ける操作のうち、商品購入画像を端末装置３０Ｚに表示させる操作のことである。当該商品購入画像は、第１ユーザーＸ３１を示す第１ユーザー情報に対応付けられた商品を第２ユーザーＸ３２が購入する操作を行う画像である。
【０１０１】
表示制御部１６１は、端末装置３０Ｚから予め取得した情報であって商品購入画像表示操作を示す情報に応じて、端末装置３０Ｚから予め取得した第１ユーザー情報に対応付けられた商品を第２ユーザーＸ３２が購入する操作を行う商品購入画像を生成する（ステップＳ３１０）。具体的には、表示制御部１６１は、第３記憶部１２５に記憶された１以上の商品情報のうち当該第１ユーザー情報に対応付けられた１以上の商品情報を第３記憶部１２５から読み出す。また、表示制御部１６１は、記憶部１２に予め記憶された情報であって第１ユーザーＸ３１に関する情報である第１ユーザー関連情報（例えば、第１ユーザーＸ３１のプロフィールを示す情報、第１ユーザーＸ３１の画像等）を記憶部１２から読み出す。表示制御部１６１は、記憶部１２から読み出したこれらの情報に基づいて、商品購入画像を生成する。そして、表示制御部１６１は、生成した商品購入画像を示す情報を、ステップＳ３１０において取得した情報に対する応答として端末装置３０Ｚに出力し、端末装置３０Ｚに商品購入画像を表示させる（ステップＳ３２０）。
【０１０２】
次に、操作受付部１６３は、商品購入画像を介して端末装置３０Ｚから操作を受け付けるまで待機する（ステップＳ３３０）。例えば、操作受付部１６３は、商品購入画像に対する操作を示す情報を端末装置３０Ｚから取得した場合、商品購入画像を介して端末装置３０Ｚから操作を受け付けたと判定する。一方、操作受付部１６３は、当該情報を端末装置３０Ｚから取得していない場合、商品購入画像を介して端末装置３０Ｚから操作を受け付けていないと判定する。
【０１０３】
商品購入画像を介して端末装置３０Ｚから操作を受け付けたと判定した場合（ステップＳ３３０−ＹＥＳ）、操作受付部１６３は、ステップＳ３３０において端末装置３０Ｚから取得した情報が示す操作が商品購入終了操作であるか否かを判定する（ステップＳ３４０）。商品購入終了操作は、商品購入画像を介した第２ユーザーＸ３２による商品の購入を終了させる操作のことであり、例えば、端末装置３０Ｚにおける商品購入画像の表示を終了させる操作（当該表示を削除する操作）等のことである。
【０１０４】
ステップＳ３３０において端末装置３０Ｚから取得した情報が示す操作が商品購入終了操作であると操作受付部１６３が判定した場合（ステップＳ３４０−ＹＥＳ）、減算処理部１７１は、第２ユーザーＸ３２による商品の購入に関する処理を終了させる。一方、ステップＳ３３０において端末装置３０Ｚから取得した情報が示す操作が商品購入終了操作ではないと操作受付部１６３が判定した場合（ステップＳ３４０−ＮＯ）、減算処理部１７１は、当該操作に応じた処理を行う（ステップＳ３５０）。そして、操作受付部１６３は、ステップＳ３３０に遷移し、商品購入画像を介して端末装置３０Ｚから操作を受け付けるまで再び待機する。
【０１０５】
＜商品購入画像の構成と商品購入画像に対する操作に応じた処理＞
以下、図１１を参照し、商品購入画像の構成と、サーバー１０が行う処理のうち商品購入画像に対する操作に応じた処理とのそれぞれについて説明する。以下では、一例として、サーバー１０が第２ユーザーＸ３２の商品購入処理を行う際に第２ユーザーＸ３２によって操作される商品購入画像を例に挙げて説明する。また、以下では、一例として、第１ユーザーＸ３１を示す第１ユーザー情報に対応付けられた商品情報の数が、ｖ個（ｖは、１以上の整数）である場合について説明する。
【０１０６】
図１１は、商品購入画像の構成の一例を示す図である。図１１に示した画像Ｐ３であって表示部３５に表示された画像Ｐ３は、商品購入画像の一例を示す。図１１に示した例では、画像Ｐ３には、表示欄Ｄ３１と、表示欄Ｄ３２と、ｖ個の商品情報のそれぞれに対応付けられたｖ個の領域である領域Ｒ１〜領域Ｒｖが含まれる。当該ｖ個の商品情報は、第１ユーザーＸ３１を示す第１ユーザー情報に対応付けられた前述のｖ個の商品情報のことである。なお、画像Ｐ３には、表示欄Ｄ３２が含まれない構成であってもよく、表示欄Ｄ３１と表示欄Ｄ３２と領域Ｒ１〜領域Ｒｖとの全部に加えて他のＧＵＩが含まれる構成であってもよい。
【０１０７】
表示欄Ｄ３１は、サーバー１０が端末装置３０Ｚから商品購入画像表示操作を示す情報とともに取得した情報であって第１ユーザーＸ３１を示す第１ユーザー情報が表示される欄である。すなわち、図１１に示した商品購入画像では、第２ユーザーＸ３２は、表示欄Ｄ３１に表示されている第１ユーザー情報が示す第１ユーザーＸ３１に対応付けられた商品を購入することができる。表示制御部１６１は、図１０に示したステップＳ３１０の処理が行われる前のタイミングにおいてサーバー１０が端末装置３０Ｚから取得した第１ユーザー情報を表示欄Ｄ３１に表示されるように、ステップＳ３１０において商品購入画像を生成する。図１１に示した例では、表示欄Ｄ３１には、第１ユーザー情報として「Ｘ００１」が表示されている。
【０１０８】
表示欄Ｄ３２は、表示欄Ｄ３１に表示されている第１ユーザー情報が示す第１ユーザーＸ３１に関する第１ユーザー関連情報が表示される欄である。表示制御部１６１は、図１０に示したステップＳ３１０において記憶部１２から読み出した第１ユーザー関連情報が表示欄Ｄ３２に表示されるように、ステップＳ３１０において商品購入画像を生成する。図１１に示した例では、図が煩雑になるのを避けるため、表示欄Ｄ３２に表示される第１ユーザー関連情報が、省略されている。
【０１０９】
ここで、領域Ｒ１〜領域Ｒｖのそれぞれについて、領域Ｒ１を例に挙げて説明する。図１１に示した例では、領域Ｒ１には、領域Ｒ１に対応付けられた表示欄ＲＤ１及び表示欄ＲＤ２と、領域Ｒ１に対応付けられた入力欄ＲＣと、領域Ｒ１に対応付けられたボタンＲＢが含まれている。なお、領域Ｒ１には、表示欄ＲＤ１と、表示欄ＲＤ２と、入力欄ＲＣと、ボタンＲＢとのそれぞれに加えて、他のＧＵＩが含まれる構成であってもよい。
【０１１０】
表示欄ＲＤ１には、領域Ｒ１に対応付けられた商品情報が示す商品の商品名が表示される欄である。表示制御部１６１は、図１０に示したステップＳ３１０において記憶部１２から読み出した商品情報のうち領域Ｒ１に対応付けられた商品情報に含まれる当該商品情報が示す商品の商品名が表示欄ＲＤ１に表示されるように、ステップＳ３１０において商品購入画像を生成する。図１１に示した例では、表示欄ＲＤ１には、当該商品名として「Ｎａｍｅ１」が表示されている。
【０１１１】
表示欄ＲＤ２には、領域Ｒ１に対応付けられた商品情報が示す商品の説明、当該商品の画像等が表示される欄である。表示制御部１６１は、図１０に示したステップＳ３１０において記憶部１２から読み出した商品情報のうち領域Ｒ１に対応付けられた商品情報に含まれる当該商品情報が示す商品の説明、当該商品の画像等が表示欄ＲＤ２に表示されるように、ステップＳ３１０において商品購入画像を生成する。図１１に示した例では、図が煩雑になるのを避けるため、表示欄ＲＤ２に表示される当該説明及び当該画像等が、省略されている。
【０１１２】
入力欄ＲＣは、領域Ｒ１に対応付けられた商品情報が示す商品であって第２ユーザーＸ３２が購入したい商品の数である商品購入希望数を第２ユーザーＸ３２が入力する欄である。端末装置３０Ｚが備える入力受付部３３を介して第２ユーザーＸ３２が入力欄ＲＣに商品購入希望数を入力した場合、処理部３６３は、入力欄ＲＣに入力された商品購入希望数を入力欄ＲＣに表示させる。ここで、画像Ｐ３では、第２ユーザーＸ３２は、入力受付部３３を介して、入力欄ＲＣに表示された商品購入希望数を、他の商品購入希望数に修正することもできる。
【０１１３】
ボタンＲＢは、入力欄ＲＣに表示された商品購入希望数を、領域Ｒ１に対応付けられた商品情報が示す商品であって第２ユーザーＸ３２が購入する商品の数である商品購入数として確定するボタンである。第２ユーザーＸ３２によってボタンＲＢに対して選択操作が行われた場合（例えば、タップ、クリック等）、処理部３６３は、入力欄ＲＣに表示された当該商品購入希望数を、当該商品購入数として確定する。そして、処理部３６３は、確定した当該商品購入数を示す商品購入数情報と、当該商品情報と、当該商品情報に対応付けられた前述の所要数情報と、表示欄Ｄ３１に表示された第１ユーザー情報と、記憶部３２に予め記憶された情報であって第２ユーザーＸ３２を示す第２ユーザー情報とをサーバー１０に出力する。サーバー１０がこれら５つの情報を取得した場合、減算処理部１７１は、取得した商品購入数情報が示す商品購入数に、取得した所要数情報が示す所要数を乗算した値を算出する。減算処理部１７１は、算出した当該値を、取得した第２ユーザー情報が示す第２ユーザーＸ３２が、取得した商品情報が示す商品を購入するために使用した媒介物の数である使用数として特定する。また、減算処理部１７１は、第２記憶部１２３に記憶されている保有数情報から、取得した第１ユーザー情報及び第２ユーザー情報の両方に対応付けられた保有数情報を特定する。減算処理部１７１は、特定した保有数情報が示す保有数から、特定した使用数を減算し、減算した後の保有数を示す情報を新たな当該保有数情報として当該第１ユーザー情報及び当該第２ユーザー情報の両方に対応付けて第２記憶部１２３に記憶させる。また、減算処理部１７１は、情報処理装置２０Ｚに対して、当該第２ユーザー情報が示す第２ユーザーＸ３２により当該商品が購入されたことを示す情報を出力し、当該第１ユーザー情報が示す第１ユーザーＸ３１に対して、当該第２ユーザー情報が示す第２ユーザーＸ３２により当該商品が購入されたことを通知する。
【０１１４】
このように、サーバー１０を備える取引システム１は、ある第１ユーザーを示す第１ユーザー情報が対応付けられた媒介物と、当該第１ユーザーにより提供される商品とを交換させ、第２ユーザーに当該商品を購入させることができる。
【０１１５】
＜サーバーによる複数の第２ユーザー間の媒介物取引処理＞
以下、図１２を参照し、サーバー１０による複数の第２ユーザー間の媒介物取引処理について説明する。サーバー１０による複数の第２ユーザー間の媒介物取引処理は、サーバー１０が行う処理のうち、複数の第２ユーザー間における媒介物の売買取引に関する処理のことである。以下では、説明の便宜上、第２ユーザーＸ４２によって選択された種類の媒介物を、取引対象媒介物と称して説明する。第２ユーザーＸ４２は、１以上の第２ユーザーのうちの１人である。また、以下では、説明の便宜上、第２ユーザーＸ４２により使用される端末装置３０を端末装置３０Ｗと称して説明する。なお、第２ユーザーＸ４２は、前述の第２ユーザーＸ０２、第２ユーザーＸ２２、第２ユーザーＸ３２のうちの一部又は全部と同じ人物であってもよい。
【０１１６】
ここで、以下では、サーバー１０による複数の第２ユーザー間の媒介物取引処理の流れを、サーバー１０による第２ユーザーＸ４２と他の１以上の第２ユーザーとの間における取引対象媒介物の売買取引に関する媒介物取引処理の流れを例に挙げて説明する。
【０１１７】
図１２は、サーバー１０による第２ユーザーＸ４２と他の１以上の第２ユーザーとの間における取引対象媒介物の売買取引に関する媒介物取引処理の流れの一例を示す図である。以下では、一例として、図１２に示したステップＳ４１０の処理が行われる前のタイミングにおいて、サーバー１０が、端末装置３０Ｗから、１以上の第１ユーザーのうち第２ユーザーＸ４２によって選択された第１ユーザーである第１ユーザーＸ４１を示す第１ユーザー情報とともに、取引市場画像表示操作を示す情報を受け付けている場合について説明する。以下では、説明の便宜上、第１ユーザーＸ３１によって使用される情報処理装置２０を情報処理装置２０Ｗと称して説明する。取引市場画像表示操作は、端末装置３０Ｗが第２ユーザーＸ４２から受け付ける操作のうち、取引市場画像を端末装置３０Ｗに表示させる操作のことである。当該取引市場画像は、第２ユーザーＸ４２と他の第２ユーザーとの間における取引対象媒介物の売買取引に関する操作を第２ユーザーＸ４２が行う画像である。
【０１１８】
表示制御部１６１は、端末装置３０Ｗから予め取得した情報であって取引市場画像表示操作を示す情報に応じて、端末装置３０Ｗから予め取得した第１ユーザー情報に対応付けられた媒介物を取引対象媒介物として特定する。そして、表示制御部１６１は、第２ユーザーＸ４２と他の１以上の第２ユーザーとの間における取引対象媒介物の売買取引であって特定した取引対象媒介物の売買取引に関する操作を第２ユーザーＸ４２が行う取引市場画像を生成する（ステップＳ４１０）。具体的には、表示制御部１６１は、第２記憶部１２３に記憶された保有数情報のうち、特定した取引対象媒介物に対応付けられた第１ユーザー情報に対応付けられた１以上の保有数情報を特定する。表示制御部１６１は、特定した１以上の保有数情報のそれぞれに対応付けられた第２ユーザー情報を特定する。また、表示制御部１６１は、記憶部１２に予め記憶された希望売買情報であって当該第１ユーザー情報に対応付けられた希望売買情報を記憶部１２から読み出す。当該希望売買情報は、取引対象媒介物を保有している第２ユーザーのそれぞれについて、第２ユーザーが取引対象媒介物を売りたい（譲りたい）数である希望売却数と第２ユーザーが取引対象媒介物を売る場合における希望売却単価とが対応付けられた売却情報と、第２ユーザーが取引対象媒介物を買いたい数である希望買取数と第２ユーザーが取引対象媒介物を買う場合における希望買取単価とが対応付けられた買取情報とのいずれか一方が含まれる情報のことである。表示制御部１６１は、読み出した希望売買情報であって当該第２ユーザーのそれぞれについての希望売買情報に基づいて、取引市場画像を生成する。
【０１１９】
次に、表示制御部１６１は、ステップＳ４１０において生成した取引市場画像を示す情報を、ステップＳ４１０において取得した情報に対する応答として端末装置３０Ｗに出力し、端末装置３０Ｗに取引市場画像を表示させる（ステップＳ４２０）。
【０１２０】
次に、操作受付部１６３は、取引市場画像を介して端末装置３０Ｗから操作を受け付けるまで待機する（ステップＳ４３０）。例えば、操作受付部１６３は、取引市場画像に対する操作を示す情報を端末装置３０Ｗから取得した場合、取引市場画像を介して端末装置３０Ｗから操作を受け付けたと判定する。一方、操作受付部１６３は、当該情報を端末装置３０Ｗから取得していない場合、取引市場画像を介して端末装置３０Ｗから操作を受け付けていないと判定する。
【０１２１】
取引市場画像を介して端末装置３０Ｗから操作を受け付けたと判定した場合（ステップＳ４３０−ＹＥＳ）、操作受付部１６３は、ステップＳ４３０において端末装置３０Ｗから取得した情報が示す操作が媒介物取引終了操作であるか否かを判定する（ステップＳ４４０）。媒介物取引終了操作は、取引市場画像を介した第２ユーザーＸ４２と他の第２ユーザーとの間における取引対象媒介物の売買取引であって端末装置３０Ｗを使用して行われる売買取引を終了させる操作のことであり、例えば、端末装置３０Ｗにおける取引市場画像の表示を終了させる操作（当該表示を削除する操作）等のことである。
【０１２２】
ステップＳ４３０において端末装置３０Ｗから取得した情報が示す操作が媒介物取引終了操作であると操作受付部１６３が判定した場合（ステップＳ４４０−ＹＥＳ）、市場取引処理部１７７は、取引市場画像における第２ユーザーＸ４２と他の第２ユーザーとの間における取引対象媒介物の売買取引であって端末装置３０Ｗを使用して行われる売買取引を終了させる。一方、ステップＳ４３０において端末装置３０Ｗから取得した情報が示す操作が媒介物取引終了操作ではないと操作受付部１６３が判定した場合（ステップＳ４４０−ＮＯ）、市場取引処理部１７７は、当該操作に応じた処理を行う（ステップＳ４５０）。そして、操作受付部１６３は、ステップＳ４３０に遷移し、取引市場画像を介して端末装置３０Ｗから操作を受け付けるまで再び待機する。
【０１２３】
＜商品購入画像の構成と商品購入画像に対する操作に応じた処理＞
以下、図１３を参照し、取引市場画像の構成と、サーバー１０が行う処理のうち取引市場画像に対する操作に応じた処理とのそれぞれについて説明する。以下では、一例として、第２ユーザーＸ４２と他の１以上の第２ユーザーとの間における取引対象媒介物の売買取引に関する媒介物取引処理をサーバー１０が行う際に第２ユーザーＸ４２によって操作される取引市場画像を例に挙げて説明する。また、以下では、一例として、取引対象媒介物を保有している第２ユーザーの数が、ｑ人（ｑは、１以上の整数）である場合について説明する。
【０１２４】
図１３は、取引市場画像の構成の一例を示す図である。図１３に示した画像Ｐ４であって表示部３５に表示された画像Ｐ４は、取引市場画像の一例を示す。図１３に示した例では、画像Ｐ４には、ｑ個の第２ユーザー情報のそれぞれに対応付けられたｑ個の領域である領域ＲＡ１〜領域ＲＡｑが含まれる。当該ｑ個の第２ユーザー情報のそれぞれが示すｑ人の第２ユーザーは、この一例において取引対象媒介物を保有しているｑ人の第２ユーザーのことである。なお、画像Ｐ４には、領域ＲＡ１〜領域ＲＡｑの全部に加えて、他のＧＵＩが含まれる構成であってもよい。
【０１２５】
ここで、領域ＲＡ１〜領域ＲＡｑのそれぞれについて、領域ＲＡ１を例に挙げて説明する。
【０１２６】
図１３に示した例では、領域ＲＡ１には、表示欄ＤＲＡ１と、表示欄ＤＲＡ２と、表示欄ＤＲＡ３と、入力欄ＣＲＡと、ボタンＢＲＡが含まれている。なお、領域ＲＡ１には、表示欄ＤＲＡ１と、表示欄ＤＲＡ２と、表示欄ＤＲＡ３と、入力欄ＣＲＡと、ボタンＢＲＡの全部に加えて、他のＧＵＩが含まれる構成であってもよい。
【０１２７】
領域ＲＡ１の表示欄ＤＲＡ１は、領域ＲＡ１に対応付けられた第２ユーザー情報が示す第２ユーザーが取引対象媒介物を売りたいこと、又は当該第２ユーザーが取引対象媒介物を買いたいことのいずれかであることを示す情報が表示される欄である。表示制御部１６１は、当該第２ユーザー情報に対応付けられた前述の希望売買情報に買取情報が含まれていた場合、当該表示欄ＤＲＡ１に、当該第２ユーザーが取引対象媒介物を買いたいことを示す情報が表示されるように、ステップＳ４１０において取引市場画像を生成する。一方、表示制御部１６１は、当該第２ユーザー情報に対応付けられた前述の希望売買情報に売却情報が含まれていた場合、当該表示欄ＤＲＡ１に、当該第２ユーザーが取引対象媒介物を売りたいことを示す情報が表示されるように、ステップＳ４１０において取引市場画像を生成する。図１３に示した例では、当該表示欄ＤＲＡ１には、当該第２ユーザーが取引対象媒介物を売りたいことを示す情報として「売ります」が表示されている。なお、当該例では、領域ＲＡ２の表示欄ＤＲＡ１には、領域ＲＡ２に対応付けられた第２ユーザー情報が示す第２ユーザーが取引対象媒介物を買いたいことを示す情報として「買います」が表示されている。
【０１２８】
領域ＲＡ１の表示欄ＤＲＡ２は、領域ＲＡ１に対応付けられた第２ユーザー情報が表示される欄である。表示制御部１６１は、ステップＳ４１０において特定した第２ユーザー情報のうち領域ＲＡ１に対応付けられた第２ユーザー情報が当該表示欄ＤＲＡ２に表示されるように、取引市場画像を生成する。図１３に示した例では、当該表示欄ＤＲＡ２には、当該第２ユーザー情報として「ＸＹＺ１」が表示されている。
【０１２９】
領域ＲＡ１の表示欄ＤＲＡ３は、希望売却単価及び希望売却数のそれぞれを示す情報と、又は希望買取単価及び希望買取数のそれぞれを示す情報とのいずれかが表示される欄である。領域ＲＡ１の表示欄ＤＲＡ１に、領域ＲＡ２に対応付けられた第２ユーザー情報が示す第２ユーザーが取引対象媒介物を売りたいことを示す情報が表示されている場合、当該表示欄ＤＲＡ３には、領域ＲＡ１に対応付けられた第２ユーザー情報が示す第２ユーザーによって指定された希望売却単価及び希望売却数のそれぞれを示す情報が表示されている。当該希望売却単価は、当該第２ユーザーが取引対象媒介物を売る場合における取引対象媒介物の単価のことである。当該希望売却数は、当該第２ユーザーが取引対象媒介物を売りたい数のことである。一方、当該表示欄ＤＲＡ１に、領域ＲＡ２に対応付けられた第２ユーザー情報が示す第２ユーザーが取引対象媒介物を買いたいことを示す情報が表示されている場合、当該表示欄ＤＲＡ３には、領域ＲＡ１に対応付けられた第２ユーザー情報が示す第２ユーザーによって指定された希望買取単価及び希望買取数のそれぞれを示す情報が表示されている。当該希望買取単価は、当該第２ユーザーが取引対象媒介物を買う場合における取引対象媒介物の単価のことである。当該希望買取数は、当該第２ユーザーが取引対象媒介物を買いたい数のことである。表示制御部１６１は、ステップＳ４１０において記憶部１２から読み出した希望売買情報に基づいて、希望売却単価及び希望売却数のそれぞれを示す情報と、又は希望買取単価及び希望買取数のそれぞれを示す情報とのいずれかが当該表示欄ＤＲＡ３に表示されるように、ステップＳ４１０において取引市場画像を生成する。
【０１３０】
領域ＲＡ１の入力欄ＣＲＡは、領域ＲＡ１に対応付けられた第２ユーザーから第２ユーザーＸ４２が取引対象媒介物を買いたい数と、領域ＲＡ１に対応付けられた第２ユーザーに第２ユーザーＸ４２が取引対象媒介物を売りたい数とのいずれかを入力する欄である。領域ＲＡ１の表示欄ＤＲＡ１に、領域ＲＡ２に対応付けられた第２ユーザー情報が示す第２ユーザーが取引対象媒介物を売りたいことを示す情報が表示されている場合、当該入力欄ＣＲＡには、領域ＲＡ１に対応付けられた第２ユーザーから第２ユーザーＸ４２が取引対象媒介物を買いたい数である希望買取数を入力することができる。一方、領域ＲＡ１の表示欄ＤＲＡ１に、領域ＲＡ２に対応付けられた第２ユーザー情報が示す第２ユーザーが取引対象媒介物を買いたいことを示す情報が表示されている場合、当該入力欄ＣＲＡには、領域ＲＡ１に対応付けられた第２ユーザーに第２ユーザーＸ４２が取引対象媒介物を売りたい数である希望売却数を入力することができる。図１３に示した例では、領域ＲＡ１の表示欄ＤＲＡ１には、領域ＲＡ２に対応付けられた第２ユーザー情報が示す第２ユーザーが取引対象媒介物を売りたいことを示す情報が表示されているため、第２ユーザーＸ４２は、領域ＲＡ１の入力欄ＣＲＡに対して、領域ＲＡ１に対応付けられた第２ユーザーから第２ユーザーＸ４２が取引対象媒介物を買いたい数を入力することができる。端末装置３０Ｗが備える入力受付部３３を介して第２ユーザーＸ４２が当該入力欄ＣＲＡに数値を入力した場合、処理部３６３は、当該入力欄ＣＲＡに入力された数値を当該入力欄ＣＲＡに表示させる。そして、処理部３６３は、当該入力欄ＣＲＡに表示された当該数値を、第２ユーザーＸ４２が取引対象媒介物を当該第２ユーザーから買い取りたい希望買取数として特定する。ここで、画像Ｐ４では、第２ユーザーＸ４２は、入力受付部３３を介して、当該入力欄ＲＣに表示された当該数値を、他の数値に修正することもできる。
【０１３１】
領域ＲＡ１のボタンＢＲＡは、入力欄ＣＲＡに表示された数値（すなわち、処理部３６３が特定した希望買取数）を、領域ＲＡ１に対応付けられた第２ユーザー情報が示す第２ユーザーから第２ユーザーＸ４２が取引対象媒介物を買い取りたい希望買取数として確定するボタンである。第２ユーザーＸ４２によってボタンＢＲＡに対して選択操作が行われた場合（例えば、タップ、クリック等）、処理部３６３は、入力欄ＣＲＡに表示された当該数値を、当該希望買取数として確定する。そして、処理部３６３は、確定した当該希望買取数と、領域ＲＡ１に対応付けられた第２ユーザー情報と、領域ＲＡ１の表示欄ＤＲＡ３に表示された希望売却単価と、取引対象媒介物に対応付けられた第１ユーザー情報と、記憶部３２に予め記憶された情報であって第２ユーザーＸ４２を示す第２ユーザー情報とをサーバー１０に出力する。サーバー１０がこれら５つの情報を取得した場合、加算処理部１６９は、第２記憶部１２３に記憶された保有数情報であって第２ユーザーＸ４２に対応付けられた第２ユーザー情報に対応付けられた保有数情報が示す保有数に、取得した当該希望買取数を加算し、加算した後の保有数を示す情報を新たな保有数情報として当該第１ユーザー情報及び当該第２ユーザー情報の両方に対応付けて第２記憶部１２３に記憶させる。また、当該場合、減算処理部１７１は、第２記憶部１２３に記憶された保有数情報であって当該第２ユーザーに対応付けられた第２ユーザー情報に対応付けられた保有数情報が示す保有数から、取得した当該希望買取数を減算し、減算した後の保有数を示す情報を新たな保有数情報として当該第１ユーザー情報及び当該第２ユーザー情報の両方に対応付けて第２記憶部１２３に記憶させる。また、当該場合、市場取引処理部１７７は、取得した希望買取数と、取得した希望売却単価とを乗じた値を、第２ユーザーＸ４２が当該第２ユーザーに対して支払う支払金額として算出する。市場取引処理部１７７は、算出した支払金額を、サーバー１０に予め登録された口座であって第２ユーザーＸ４２の口座から、サーバー１０に予め登録された口座であって当該第２ユーザーの口座へと移動させる。
【０１３２】
なお、領域ＲＡ２のボタンＢＲＡは、領域ＲＡ２の入力欄ＣＲＡに表示された数値（すなわち、処理部３６３が特定した希望売却数）を、領域ＲＡ２に対応付けられた第２ユーザー情報が示す第２ユーザーから第２ユーザーＸ４２が取引対象媒介物を売却したい希望売却数として確定するボタンである。第２ユーザーＸ４２によって当該ボタンＢＲＡに対して選択操作が行われた場合（例えば、タップ、クリック等）、処理部３６３は、当該入力欄ＣＲＡに表示された当該数値を、当該希望売却数として確定する。そして、処理部３６３は、確定した当該希望売却数と、領域ＲＡ２に対応付けられた第２ユーザー情報と、領域ＲＡ２の表示欄ＤＲＡ３に表示された希望買取単価と、取引対象媒介物に対応付けられた第１ユーザー情報と、記憶部３２に予め記憶された情報であって第２ユーザーＸ４２を示す第２ユーザー情報とをサーバー１０に出力する。サーバー１０がこれら５つの情報を取得した場合、加算処理部１６９は、第２記憶部１２３に記憶された保有数情報であって当該第２ユーザーに対応付けられた第２ユーザー情報に対応付けられた保有数情報が示す保有数に、取得した当該希望売却数を加算し、加算した後の保有数を示す情報を新たな保有数情報として当該第１ユーザー情報及び当該第２ユーザー情報の両方に対応付けて第２記憶部１２３に記憶させる。また、当該場合、減算処理部１７１は、第２記憶部１２３に記憶された保有数情報であって第２ユーザーＸ４２に対応付けられた第２ユーザー情報に対応付けられた保有数情報が示す保有数から、取得した当該希望売却数を減算し、減算した後の保有数を示す情報を新たな保有数情報として当該第１ユーザー情報及び当該第２ユーザー情報の両方に対応付けて第２記憶部１２３に記憶させる。また、当該場合、市場取引処理部１７７は、取得した希望売却数と、取得した希望買取単価とを乗じた値を、当該第２ユーザーが第２ユーザーＸ４２に対して支払う支払金額として算出する。市場取引処理部１７７は、算出した支払金額を、サーバー１０に予め登録された口座であって当該第２ユーザーの口座から、サーバー１０に予め登録された口座であって第２ユーザーＸ４２の口座へと移動させる。
【０１３３】
なお、上記において説明した複数の第２ユーザー間における取引対象媒介物の売買取引においてある口座から他の口座へと支払金額が移動された場合、市場取引処理部１７７は、サーバー１０の運営している運営企業の口座に対して、支払元の口座から手数料分の金額を引き落とす構成であってもよく、支払元の口座から手数料分の金額を引き落とさない構成であってもよい。
【０１３４】
また、上記において説明した領域ＲＡ１の入力欄ＣＲＡに表示された数と、領域ＲＡ１の表示欄ＤＲＡ３に表示された売却可能数とを乗じた値が、第２ユーザーＸ４２の口座に預金されている金額を超えた場合、表示制御部１６１は、当該口座への貨幣の振り込みを行う操作を第２ユーザーＸ４２が行う画像である振込画像を生成し、生成した当該振込画像を示す情報を端末装置３０Ｗに出力し、端末装置３０Ｗに当該振込画像を表示させる構成であってもよい。
【０１３５】
また、表示制御部１６１は、図９において説明した媒介物購入画像において取引対象媒介物の販売可能数が０に至っていない場合、上記において説明した取引市場画像であって取引対象媒介物の売買取引に関する取引市場画像を生成しない構成であってもよい。この場合、端末装置３０Ｗは、媒介物購入画像において取引対象媒介物の販売可能数が０に至るまでの間、当該取引市場画像を表示することができない。これにより、取引システム１は、第１ユーザーが販売する媒介物を第１ユーザーが販売している期間における当該媒介物の値崩れを抑制することができ、その結果、第１ユーザーの当該媒介物の販売による収益の減少を抑制することができる。
【０１３６】
また、上記において説明した取引市場画像における第２ユーザー間の取引対象媒介物の売買取引の方法は、株式市場における指値による取引方法であるが、これに代えて、株式市場における成り行きによる取引方法であってもよく、株式市場における他の如何なる取引方法であってもよい。
【０１３７】
ここで、サーバー１０が備える決定部１７３は、予め決められた期間が経過する毎に、当該期間において行われた取引であって第２ユーザーＸ４２と第２ユーザーとの間における取引対象媒介物の売買取引における取引対象媒介物の取引単価を決定する。当該期間は、例えば、１日間である。なお、当該期間は、１日間よりも短い期間であってもよく、１日間よりも長い期間であってもよい。例えば、決定部１７３は、当該期間が経過する毎に、当該期間において取引市場画像を介して売却された取引対象媒介物の最安値を、当該期間における取引対象媒介物の取引単価として決定する。なお、決定部１７３は、当該期間が経過する毎に、当該期間において取引市場画像を介して売却された取引対象媒介物の最高値を、当該期間における取引対象媒介物の取引単価として決定する構成であってもよく、当該期間が経過する毎に、当該期間において取引市場画像を介して売却された取引対象媒介物の終値又は始値を、当該期間における取引対象媒介物の取引単価として決定する構成であってもよく、他の方法によって取引対象媒介物の取引単価を決定する構成であってもよい。決定部１７３により取引対象媒介物の取引単価が決定された場合、サーバー１０が備える更新部１７５は、第１記憶部１２１に記憶された販売単価情報のうち取引対象媒介物に対応付けられた第１ユーザー情報に対応付けられた販売単価情報を、決定部１７３により決定された取引単価を示す販売単価情報に更新する。これにより、ある第１ユーザーは、取引システム１を用いて２回目以降の当該第１ユーザーによる媒介物の販売において、当該第１ユーザーが販売する媒介物を、取引市場によって決められた販売単価によって販売することができる。その結果、取引システム１は、当該第１ユーザーに対して、当該第１ユーザーの収益を向上させるために当該第１ユーザーが提供する商品の質を向上させるインセンティブを与えることができる。その結果、取引システム１は、第１ユーザーの収益を向上させることができる。なお、取引システム１では、このような販売単価情報の更新を行わない構成であってもよい。この場合、サーバー１０は、決定部１７３及び更新部１７５を備えない。
【０１３８】
また、上記において説明した希望売買情報は、図１４に示した希望売買情報登録画像であって各端末装置３０に表示される希望売買情報登録画像を介して第２ユーザーによってサーバー１０の記憶部１２に記憶される。ここで、図１４を参照し、希望売買情報登録画像について説明する。図１４は、希望売買情報登録画像の一例を示す図である。
【０１３９】
以下では、一例として、サーバー１０が、端末装置３０Ｗから、希望売買情報登録画像表示操作を示す情報を受け付けている場合について説明する。表示制御部１６１は、端末装置３０Ｗから予め取得した情報であって希望売買情報登録画像表示操作を示す情報に応じて、希望売買情報を記憶部１２に記憶させる操作を第２ユーザーＸ４２が行う希望売買情報登録画像を生成する。
【０１４０】
図１４に示した画像Ｐ５であって表示部３５に表示された画像Ｐ５は、希望売買情報登録画像の一例を示す。図１４に示した例では、画像Ｐ５には、領域ＲＵと、領域ＲＤが含まれる。なお、画像Ｐ５には、領域ＲＵと、領域ＲＤとの両方に加えて、他のＧＵＩが含まれる構成であってもよい。
【０１４１】
領域ＲＵには、入力欄ＲＵＣ１と、入力欄ＲＵＣ２と、入力欄ＲＵＣ３と、ボタンＲＵＢが含まれる。なお、領域ＲＵには、入力欄ＲＵＣ１と、入力欄ＲＵＣ２と、入力欄ＲＵＣ３と、ボタンＲＵＢとの全部に加えて、他のＧＵＩが含まれる構成であってもよい。
【０１４２】
入力欄ＲＵＣ１は、第２ユーザーＸ４２が売却したい媒介物に対応付けられた第１ユーザー情報を入力する欄である。端末装置３０Ｗが備える入力受付部３３を介して第２ユーザーＸ４２が入力欄ＲＵＣ１に当該第１ユーザー情報を入力した場合、処理部３６３は、入力欄ＲＵＣ１に入力された第１ユーザー情報を入力欄ＲＵＣ１に表示させる。ここで、画像Ｐ５では、第２ユーザーＸ４２は、当該入力受付部３３を介して、入力欄ＲＵＣ１に表示された当該第１ユーザーを、他の第１ユーザー情報に修正することもできる。
【０１４３】
入力欄ＲＵＣ２は、第２ユーザーＸ４２が売却したい媒介物の希望売却単価を第２ユーザーＸ４２が入力する欄である。端末装置３０Ｗが備える入力受付部３３を介して第２ユーザーＸ４２が入力欄ＲＵＣ２に当該希望売却単価を入力した場合、処理部３６３は、入力欄ＲＵＣ２に入力された当該希望売却単価を入力欄ＲＵＣ２に表示させる。ここで、画像Ｐ５では、第２ユーザーＸ４２は、当該入力受付部３３を介して、入力欄ＲＵＣ２に表示された当該希望売却単価を、他の希望売却単価に修正することもできる。
【０１４４】
入力欄ＲＵＣ３は、第２ユーザーＸ４２が売却したい媒介物の希望売却数を第２ユーザーＸ４２が入力する欄である。端末装置３０Ｗが備える入力受付部３３を介して第２ユーザーＸ４２が入力欄ＲＵＣ３に当該希望売却数を入力した場合、処理部３６３は、入力欄ＲＵＣ３に入力された当該希望売却数を入力欄ＲＵＣ３に表示させる。ここで、画像Ｐ５では、第２ユーザーＸ４２は、当該入力受付部３３を介して、入力欄ＲＵＣ３に表示された当該希望売却数を、他の希望売却数に修正することもできる。
【０１４５】
ボタンＲＵＢは、入力欄ＲＵ１に表示された第１ユーザー情報を、第２ユーザーＸ４２が売却したい媒介物に対応付けられた第１ユーザー情報として確定し、入力欄ＲＵ２に表示された希望売却単価を、当該媒介物の希望売却単価として確定し、入力欄ＲＵ３に表示された希望売却数を、当該媒介物の希望売却数として確定するボタンである。第２ユーザーＸ４２によってボタンＲＵＢに対して選択操作が行われた場合（例えば、タップ、クリック等）、処理部３６３は、入力欄ＲＵ１に表示された第１ユーザー情報を、第２ユーザーＸ４２が売却したい媒介物に対応付けられた第１ユーザー情報として確定し、入力欄ＲＵ２に表示された希望売却単価を、当該媒介物の希望売却単価として確定し、入力欄ＲＵ３に表示された希望売却数を、当該媒介物の希望売却数として確定する。そして、処理部３６３は、確定した希望売却単価と、確定した希望売却数とを対応付けた売却情報を生成する。そして、処理部３６３は、生成した売却情報に対して、入力欄ＲＵ１に表示された第１ユーザー情報を対応付けた希望売買情報を生成する。処理部３６３は、生成した希望売買情報をサーバー１０に出力する。サーバー１０は、端末装置３０Ｗから取得した当該希望売買情報を記憶部１２に記憶させる。
【０１４６】
領域ＲＤには、入力欄ＲＤＣ１と、入力欄ＲＤＣ２と、入力欄ＲＤＣ３と、ボタンＲＤＢが含まれる。なお、領域ＲＵには、入力欄ＲＤＣ１と、入力欄ＲＤＣ２と、入力欄ＲＤＣ３と、ボタンＲＤＢとの全部に加えて、他のＧＵＩが含まれる構成であってもよい。
【０１４７】
入力欄ＲＤＣ１は、第２ユーザーＸ４２が買い取りしたい媒介物に対応付けられた第１ユーザー情報を入力する欄である。端末装置３０Ｗが備える入力受付部３３を介して第２ユーザーＸ４２が入力欄ＲＤＣ１に当該第１ユーザー情報を入力した場合、処理部３６３は、入力欄ＲＤＣ１に入力された第１ユーザー情報を入力欄ＲＤＣ１に表示させる。ここで、画像Ｐ５では、第２ユーザーＸ４２は、当該入力受付部３３を介して、入力欄ＲＤＣ１に表示された当該第１ユーザーを、他の第１ユーザー情報に修正することもできる。
【０１４８】
入力欄ＲＤＣ２は、第２ユーザーＸ４２が買い取りしたい媒介物の希望買取単価を第２ユーザーＸ４２が入力する欄である。端末装置３０Ｗが備える入力受付部３３を介して第２ユーザーＸ４２が入力欄ＲＤＣ２に当該希望買取単価を入力した場合、処理部３６３は、入力欄ＲＤＣ２に入力された当該希望買取単価を入力欄ＲＤＣ２に表示させる。ここで、画像Ｐ５では、第２ユーザーＸ４２は、当該入力受付部３３を介して、入力欄ＲＤＣ２に表示された当該希望買取単価を、他の希望買取単価に修正することもできる。
【０１４９】
入力欄ＲＤＣ３は、第２ユーザーＸ４２が買い取りしたい媒介物の希望買取数を第２ユーザーＸ４２が入力する欄である。端末装置３０Ｗが備える入力受付部３３を介して第２ユーザーＸ４２が入力欄ＲＤＣ３に当該希望買取数を入力した場合、処理部３６３は、入力欄ＲＤＣ３に入力された当該希望買取数を入力欄ＲＤＣ３に表示させる。ここで、画像Ｐ５では、第２ユーザーＸ４２は、当該入力受付部３３を介して、入力欄ＲＤＣ３に表示された当該希望買取数を、他の希望買取数に修正することもできる。
【０１５０】
ボタンＲＤＢは、入力欄ＲＤＣ１に表示された第１ユーザー情報を、第２ユーザーＸ４２が買い取りしたい媒介物に対応付けられた第１ユーザー情報として確定し、入力欄ＲＤＣ２に表示された希望買取単価を、当該媒介物の希望買取単価として確定し、入力欄ＲＤＣ３に表示された希望買取数を、当該媒介物の希望買取数として確定するボタンである。第２ユーザーＸ４２によってボタンＲＤＢに対して選択操作が行われた場合（例えば、タップ、クリック等）、処理部３６３は、入力欄ＲＤＣ１に表示された第１ユーザー情報を、第２ユーザーＸ４２が買い取りしたい媒介物に対応付けられた第１ユーザー情報として確定し、入力欄ＲＤＣ２に表示された希望買取単価を、当該媒介物の希望買取単価として確定し、入力欄ＲＤＣ３に表示された希望買取数を、当該媒介物の希望買取数として確定する。そして、処理部３６３は、確定した希望買取単価と、確定した希望買取数とを対応付けた買取情報を生成する。そして、処理部３６３は、生成した買取情報に対して、入力欄ＲＤＣ１に表示された第１ユーザー情報を対応付けた希望売買情報を生成する。処理部３６３は、生成した希望売買情報をサーバー１０に出力する。サーバー１０は、端末装置３０Ｗから取得した当該希望売買情報を記憶部１２に記憶させる。
【０１５１】
図１３において説明した取引市場画像、及び図１４において説明した希望売買情報登録画像のそれぞれによって、取引システム１は、第１ユーザーが販売する媒介物の第２ユーザー間における売買取引を容易に行わせることができる。
【０１５２】
なお、上記において説明した処理において、サーバー１０へのログイン処理（すなわち、認証処理）を行う方法については、如何なる方法であってもよいため、説明を省略している。
また、上記において説明した各ＧＵＩは、それぞれの機能と同等の機能を有する他のＧＵＩに置き換えられてもよい。
【０１５３】
以上説明したように、実施形態に係る取引システム１は、取引を媒介する仮想的な媒介物を販売する１以上の第１ユーザーのそれぞれについて、第１ユーザーを示す第１ユーザー情報に対応付けられた媒介物の販売単価を示す販売単価情報を第１記憶部（この一例において、第１記憶部１２１）に記憶し、第１ユーザーのそれぞれについて、第１ユーザーを示す第１ユーザー情報に対応付けられた販売単価情報が示す販売単価の初期値を受け付け、受け付けた初期値を示す販売単価情報を、第１ユーザーを示す第１ユーザー情報に対応付けて第１記憶部に記憶させ、第３ユーザーが媒介物を購入した購入数と、販売単価情報と、第３ユーザーが購入した媒介物に対応付けられた第１ユーザーを示す第１ユーザー情報とに基づいて、第３ユーザーに対する課金処理を行う。これにより、取引システム１は、第１ユーザーの収益を向上させることができる。
【０１５４】
以上、この発明の実施形態を、図面を参照して詳述してきたが、具体的な構成はこの実施形態に限られるものではなく、この発明の要旨を逸脱しない限り、変更、置換、削除等されてもよい。
【０１５５】
また、以上に説明した装置（例えば、サーバー１０、情報処理装置２０、端末装置３０）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１５６】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１５７】
１…取引システム、１０…サーバー、２０…情報処理装置、３０…端末装置、１２、３２…記憶部、１４、２４…通信部、１６、３６…制御部、３３…入力受付部、３５…表示部、１２１…第１記憶部、１２３…第２記憶部、１２５…第３記憶部、１６１、３６１…表示制御部、１６３…操作受付部、１６５…初期値設定部、１６７…課金処理部、１６９…加算処理部、１７１…減算処理部、１７３…決定部、１７５…更新部、１７７…市場取引処理部、３６３…処理部
【図１】
2019101506.tif 000003
【図２】
2019101506.tif 000004
【図３】
2019101506.tif 000005
【図４】
2019101506.tif 000006
【図５】
2019101506.tif 000007
【図６】
2019101506.tif 000008
【図７】
2019101506.tif 000009
【図８】
2019101506.tif 000010
【図９】
2019101506.tif 000011
【図１０】
2019101506.tif 000012
【図１１】
2019101506.tif 000013
【図１２】
2019101506.tif 000014
【図１３】
2019101506.tif 000015
【図１４】
2019101506.tif 000016